(57)【要約】  回動軸を回動中心として磁気記録媒体の半径方向に回動可能なアクチュエータと、アクチュエータのヘッド部を待避させる際にアクチュエータの一部を保持するランプブロックと、少なくともヘッド部およびアクチュエータとの信号の送信および受信の少なくともいずれかを行う回路基板部と、上側シャーシと、下側シャーシとを備え、アクチュエータの回動軸、ランプブロックおよび回路基板部がそれぞれ磁気記録媒体に垂直な方向の両側に締結部を有し、上側シャーシおよび下側シャーシから締結部を締結することにより、アクチュエータ、ランプブロックおよび回路基板部が上側シャーシおよび下側シャーシに組み付けられる。【特許請求の範囲】
【請求項１】
記録媒体と、
前記記録媒体を回転させる回転部と、
前記記録媒体に信号を再生および記録の少なくともいずれかを行うヘッド部と、
前記ヘッド部を支持し、軸受部を回動中心として前記記録媒体の半径方向に回動可能なアクチュエータ部と、
前記アクチュエータ部の前記ヘッド部を待避させる際に前記アクチュエータ部の一部を保持するランプ部と、
少なくとも前記ヘッド部および前記アクチュエータ部との信号の送信および受信の少なくともいずれかを行う回路基板部と、
上側シャーシと、
下側シャーシとを備え、
前記アクチュエータ部の前記軸受部、前記ランプ部および前記回路基板部がそれぞれ前記記録媒体に垂直な方向の両側に締結部を有し、
前記上側シャーシおよび前記下側シャーシから前記締結部を締結することにより、前記アクチュエータ部、前記ランプ部および前記回路基板部が前記上側シャーシおよび前記下側シャーシに組み付けられることを特徴とするディスク装置。
【請求項２】
前記ランプ部は、前記アクチュエータ部の一部を保持するランプブロック部と、前記締結部の設けられたランプポスト部とを有することを特徴とする請求項１に記載のディスク装置。
【請求項３】
前記ランプブロック部と前記ランプポスト部とが一体に形成されていることを特徴とする請求項２に記載のディスク装置。
【請求項４】
前記回路基板部は導電パターンの形成されたＦＰＣ部および前記ＦＰＣ部を貫通するＦＰＣポスト部を有し、
前記ＦＰＣポスト部に前記締結部が設けられていることを特徴とする請求項１に記載のディスク装置。
【請求項５】
前記ランプポスト部と前記ＦＰＣポスト部との相対的な位置関係を決定する位置決め部材を備えたことを特徴とする請求項４に記載のディスク装置。
【請求項６】
前記回路基板部は前記ヘッド部からの出力を増幅する増幅回路部を有することを特徴とする請求項４に記載のディスク装置。
【請求項７】
前記ランプポスト部は、少なくとも二つの互いに半径の異なる円筒部と、前記円筒部の間に少なくとも一つの段差部とを有する形状であり、少なくとも二つの前記円筒部のうち、前記段差部に対して前記上側シャーシ側の円筒部に前記ランプブロック部を嵌合させ、かつ、前記締結部を用いて前記ランプポスト部を前記上側シャーシに締結したとき、前記上側シャーシと前記段差部とによって前記ランプブロック部が狭持されることを特徴とする請求項２に記載のディスク装置。
【請求項８】
前記ＦＰＣポスト部は、少なくとも二つの互いに半径の異なる円筒部と、前記円筒部の間に少なくとも一つの段差部とを有する形状であり、前記ＦＰＣポスト部の前記段差部が前記ＦＰＣ部に固着されたことを特徴とする請求項４に記載のディスク装置。
【請求項９】
前記ＦＰＣポスト部は、前記ＦＰＣ部に形成されたグラウンドラインにはんだ付け固着されたことを特徴とする請求項８に記載のディスク装置。
【請求項１０】
端部に前記回転部との電気信号の受信および送信の少なくともいずれかを行うための導電部を有する配線体を備え、
前記ＦＰＣ部が、前記ヘッド部および前記アクチュエータ部との電気信号の送信および受信の少なくともいずれかを行うための導電部および前記配線体の前記導電部と接触するための接続部を有し、
前記位置決め部材は、前記ＦＰＣ部に狭持されるとともに、前記ＦＰＣ部の前記接続部を前記配線体の前記導電部の方向に押圧するための先端部を有し、
前記位置決め部材の前記先端部による押圧力によって、前記ＦＰＣ部の前記接続部を前記配線体の前記導電部に当接させることにより、前記ＦＰＣ部の前記接続部と前記配線体の前記導電部とが電気的に接続することを特徴とする請求項５に記載のディスク装置。
【請求項１１】
前記上側シャーシには前記アクチュエータ部、前記位置決め部材および前記ＦＰＣ部が取り付けられ、
前記下側シャーシには前記回転部および前記配線体が取り付けられ、
前記上側シャーシと前記下側シャーシとを組み立てることによって、前記位置決め部材の前記先端部の押圧力により前記ＦＰＣ部の前記接続部と前記配線体の前記導電部とが当接して電気的に接続することを特徴とする請求項１０に記載のディスク装置。
【請求項１２】
請求項１に記載のディスク装置を備えたことを特徴とする電子機器。
【請求項１３】
前記ディスク装置を制御するための制御部が、電子機器側に設けられたことを特徴とする請求項１２に記載の電子機器。
【請求項１４】
前記ディスク装置の前記上側シャーシまたは前記下側シャーシの面が、電子機器に取り付けられたことを特徴とする請求項１２に記載の電子機器。
【発明の詳細な説明】
【技術分野】
【０００１】  本発明は、浮上型の信号変換素子を備えたディスク装置に関し、特に、容易に分解および組み立ての少なくともいずれかを行うことが可能なディスク装置、および、それを用いた電子機器に関する。
【背景技術】
【０００２】  ハードディスク装置等の磁気ディスク装置は、近年の急速な小型大容量化にともなって、携帯電話装置やポータブルオーディオプレーヤ装置等の、持ち運び可能な小型の電子機器にも搭載されるようになってきている。今後、さらなる小型化および低コスト化によって、これらの電子機器への応用が広がるものと期待されている。【０００３】  このような磁気ディスク装置において、さらなる小型化および低コスト化を実現するためのポイントとして、磁気ヘッド、スピンドルモータおよびアクチュエータと制御部との間で信号の授受を行うための配線構造がある。【０００４】  まず、従来のディスク装置における配線接続方法を説明する。ここでは、ディスク装置の一例として、ハードディスク装置等の磁気ディスク装置を用いて説明する。【０００５】  図１４は、従来の浮上型の信号変換素子（以下、単に磁気ヘッドと記す）を有する磁気ディスク装置１３０において上側シャーシを取り外した状態を示す平面図であり、図１５Ａは従来の磁気ディスク装置１３０の図１４におけるＰ−Ｐ線での断面を示した部分断面図であり、図１５Ｂは従来の磁気ディスク装置１３０の図１４におけるＱ−Ｑ線での断面を示した部分断面図である。【０００６】  図１４、図１５Ａおよび図１５Ｂにおいて、アクチュエータ１３１は、比較的剛性の低いサスペンション１３２、板ばね部１３３および比較的剛性の高い支持アーム１３４を有している。サスペンション１３２の一端側の下面には磁気ヘッド（図示せず）を搭載したヘッドスライダ１３５が設けられている。【０００７】  また、磁気記録媒体１３６はスピンドルモータ１３７によって回転し、磁気ディスク装置１３０の記録時および再生時には、磁気記録媒体１３６の回転に伴ってヘッドスライダ１３５と磁気記録媒体１３６との間に発生する空気流によってヘッドスライダ１３５が受ける浮揚力と、ヘッドスライダ１３５を磁気記録媒体１３６側へ付勢するアクチュエータ１３１の板ばね部１３３による付勢力（いわゆるロード荷重）とが釣り合って、ヘッドスライダ１３５は磁気記録媒体１３６から一定量浮上し、磁気ヘッドも磁気記録媒体１３６から一定量浮上するように構成されている。【０００８】  アクチュエータ１３１は、磁気ディスク装置１３０の記録時および再生時には、支持アーム１３４のヘッドスライダ１３５が設けられた側と反対側の端部に設けられたボイスコイル１３８の作用によって、回動軸１３９を中心として回動する。これにより、ヘッドスライダ１３５に搭載された磁気ヘッドが磁気記録媒体１３６における所望のトラックに対して位置決めされて、磁気ディスク装置１３０は記録および再生の少なくともいずれかを行うことが可能である。【０００９】  そして、磁気ディスク装置１３０の停止時には、アクチュエータ１３１が回動軸１３９を中心にして回動して磁気記録媒体１３６の外側に向かって移動する。磁気記録媒体１３６の外側には、ヘッド保持部１４０が設けられており、サスペンション１３２の先端に形成されたガイド部１３２ａがヘッド保持部１４０に形成されたテーパ部１４０ａ上に乗り上げることにより、サスペンション１３２に支持されたヘッドスライダ１３５および磁気ヘッドと磁気記録媒体１��６との吸着を防ぐことができる。【００１０】  また、従来の磁気ディスク装置１３０において、スピンドルモータ１３７、アクチュエータ１３１の回動軸１３９およびヘッド保持部１４０は、それぞれ下側シャーシ１４３に取り付けられている。【００１１】  さらに、従来の磁気ディスク装置１３０においては、後述する電気回路主基板１４６からのスピンドルモータ１３７の回転を制御する電気信号を供給するために、例えばフレキシブル配線基板（ＦＰＣ基板）を用いたモータ用配線体１４１がスピンドルモータ１３７に設けられている。また、電気回路主基板１４６とアクチュエータ１３１の磁気ヘッドとの記録信号または再生信号の授受、および、電気回路主基板１４６と磁気ヘッドを磁気記録媒体１３６上の所定の位置に位置決めするためのボイスコイル１３８との制御信号の授受のために、例えばＦＰＣ基板を用いたアクチュエータ用配線体１４２がアクチュエータ１３１に設けられている。【００１２】  さらに、防塵等のために、下側シャーシ１４３に、内部の各構成要素を覆って密閉するように上側シャーシ１４４が取り付けられる。【００１３】  また、従来の磁気ディスク装置１３０には、その下側シャーシ１４３の底面に、例えば図１５Ａまたは図１５Ｂに示したような、磁気ディスク装置１３０を制御するための電気回路部品１４５が搭載された電気回路主基板１４６が取り付けられている。【００１４】  電気回路主基板１４６にはモータ用コネクタ１４７とアクチュエータ用コネクタ１４８とが設けられ、モータ用コネクタ１４７にはモータ用配線体１４１のコネクタ１４１ａが接続され、アクチュエータ用コネクタ１４８にはアクチュエータ用配線体１４２のコネクタ１４２ａが接続されている。【００１５】  このように、従来の磁気ディスク装置１３０においては、電気回路主基板１４６からの制御信号がモータ用コネクタ１４７を通じてスピンドルモータ１３７に送られるとともに、アクチュエータ用コネクタ１４８を通じて磁気ヘッドまたはボイスコイル１３８へ送られる構成となっていた（例えば、特開平４−１８１５８７号公報、特開平７−１４３６２号公報、実開平３−７１４９０号公報または特開昭６３−１２７４８２号公報を参照。）。【００１６】  しかしながら、前述したような従来の磁気ディスク装置においては、アクチュエータの回動軸、ヘッド保持部およびアクチュエータ用配線体は、磁気記録媒体を回転させるためのスピンドルモータ等の構成部とともに下側シャーシに配設され、下側シャーシに対して内部を密閉的に覆うように上側シャーシが取り付けられている。このような構成において、例えば磁気記録媒体またはスピンドルモータに何らかの故障が発生した場合、磁気記録媒体とアクチュエータは磁気記録媒体の回転軸中心方向に重複して配置されているため、磁気記録媒体またはスピンドルモータの交換に際しては、上側シャーシを取り外した後、少なくともアクチュエータを下側シャーシから取り外す必要がある。また、修理が完了した後の組み立て時においても逆の手順で組み立てる必要があり、分解時および組み立て時に長時間を要し、手間がかかってしまうという課題があった。
【発明の開示】
【００１７】  本発明はこのような課題に鑑みてなされたものであり、分解時および組み立て時に手間のかからないディスク装置およびそれを用いた電子機器を提供することを目的とする。
【００１８】  本発明のディスク装置は、記録媒体と、記録媒体を回転させる回転部と、記録媒体に信号を再生および記録の少なくともいずれかを行うヘッド部と、ヘッド部を支持し、軸受部を回動中心として記録媒体の半径方向に回動可能なアクチュエータ部と、アクチュエータ部のヘッド部を待避させる際にアクチュエータ部の一部を保持するランプ部と、少なくともヘッド部およびアクチュエータ部との信号の送信および受信の少なくともいずれかを行う回路基板部と、上側シャーシと、下側シャーシとを備え、アクチュエータ部の軸受部、ランプ部および回路基板部がそれぞれ記録媒体に垂直な方向の両側に締結部を有し、上側シャーシおよび下側シャーシから締結部を締結することにより、アクチュエータ部、ランプ部および回路基板部が上側シャーシおよび下側シャーシに組み付けられることを特徴としている。
【００１９】  このような構成により、アクチュエータ部の軸受部、ランプ部および回路基板部がそれぞれ両端に締結部を有し、この締結部を上側シャーシおよび下側シャーシを介して締結する、または、この締結を解除するという簡易な方法により、装置の組み立てまたは分解を行うことができるので、分解時および組み立て時に手間のかからないディスク装置を提供できる。
【００２０】  また、ランプ部は、アクチュエータ部の一部を保持するランプブロック部と、締結部の設けられたランプポスト部とを有する構成であってもよい。
【００２１】  このような構成によれば、さらに、ランプブロック部とランプポスト部とを分離することにより、それぞれの部材の作製が容易な構成を実現できる。
【００２２】  また、ランプブロック部とランプポスト部とが一体に形成されている構成であってもよい。
【００２３】  このような構成によれば、さらに、ランプブロック部とランプポスト部とを一体に構成できるので、部品点数の削減を図ることができる。
【００２４】  さらに、回路基板部は導電パターンの形成されたＦＰＣ部およびＦＰＣ部を貫通するＦＰＣポスト部を有し、ＦＰＣポスト部に締結部が設けられている構成であってもよい。
【００２５】  このような構成によれば、さらに、ＦＰＣ部とＦＰＣポスト部とを分離することにより、それぞれの部材の作製が容易な構成を実現できる。
【００２６】  また、ランプポスト部とＦＰＣポスト部との相対的な位置関係を決定する位置決め部材を備えた構成であってもよい。
【００２７】  このような構成によれば、さらに、ランプポスト部とＦＰＣポスト部との位置関係が決まるので、さらに組み立てのしやすい構成を実現することができる。
【００２８】  また、回路基板部はヘッド部からの出力を増幅する増幅回路部を有する構成であってもよい。
【００２９】  このような構成によれば、さらに、ヘッド部の近傍で微小な信号を処理することができるので、ノイズの発生を抑制することができ、安定した信号の授受が可能となり、信頼性を向上することができる。
【００３０】  また、ランプポスト部は、少なくとも二つの互いに半径の異なる円筒部と、円筒部の間に少なくとも一つの段差部とを有する形状であり、少なくとも二つの円筒部のうち、段差部に対して上側シャーシ側の円筒部にランプブロック部を嵌合させ、かつ、締結部を用いてランプポスト部を上側シャーシに締結したとき、上側シャーシと段差部とによってランプブロック部が狭持される構成であってもよい。
【００３１】  このような構成によれば、さらに、簡易な構成でランプブロック部の位置を固定することができる。
【００３２】  また、ＦＰＣポスト部は、少なくとも二つの互いに半径の異なる円筒部と、円筒部の間に少なくとも一つの段差部とを有する形状であり、ＦＰＣポスト部の段差部がＦＰＣ部に固着された構成であってもよい。
【００３３】  このような構成によれば、さらに、簡易な構成でＦＰＣ部の位置を固定することができる。
【００３４】  さらに、ＦＰＣポスト部は、ＦＰＣ部に形成されたグラウンドラインにはんだ付け固着された構成であってもよい。
【００３５】  このような構成によれば、さらに、ＦＰＣ部のグラウンドラインをより確実に接地することが可能となる。
【００３６】  また、端部に回転部との電気信号の受信および送信の少なくともいずれかを行うための導電部を有する配線体を備え、ＦＰＣ部が、ヘッド部およびアクチュエータ部との電気信号の送信および受信の少なくともいずれかを行うための導電部および配線体の導電部と接触するための接続部を有し、位置決め部材は、ＦＰＣ部に狭持されるとともに、ＦＰＣ部の接続部を配線体の導電部の方向に押圧するための先端部を有し、位置決め部材の先端部による押圧力によって、ＦＰＣ部の接続部を配線体の導電部に当接させることにより、ＦＰＣ部の接続部と配線体の導電部とが電気的に接続する構成であってもよい。
【００３７】  このような構成によれば、さらに、例えば回路基板部が上側シャーシに固定され、配線体が下側シャーシに固定された状態で上側シャーシおよび下側シャーシを分離することができるので、分解および組み立ての容易な構成を実現することが可能となる。
【００３８】  また、上側シャーシにはアクチュエータ部、位置決め部材およびＦＰＣ部が取り付けられ、下側シャーシには回転部および配線体が取り付けられ、上側シャーシと下側シャーシとを組み立てることによって、位置決め部材の先端部の押圧力によりＦＰＣ部の接続部と配線体の導電部とが当接して電気的に接続する構成であってもよい。
【００３９】  このような構成によれば、さらに、上側シャーシと下側シャーシとを組み立てることにより、ＦＰＣ部と配線体とを電気的に接続することができるので、上側シャーシに、アクチュエータ部、位置決め部材およびＦＰＣ部が固定され、下側シャーシに回転部および配線体が固定された状態で、上側シャーシおよび下側シャーシを分離することができるので、分解および組み立ての容易な構成を実現することができる。
【００４０】  次に、本発明の電子機器は、本発明のディスク装置を備えたことを特徴としている。
【００４１】  このような構成によれば、アクチュエータ部の軸受部、ランプ部および回路基板部がそれぞれ両端に締結部を有し、この締結部を上側シャーシおよび下側シャーシを介して締結する、または、この締結を解除するという簡易な方法により、装置の組み立てまたは分解を行うことができるので、分解時および組み立て時に手間のかからないディスク装置を搭載した電子機器を実現することができる。
【００４２】  また、ディスク装置を制御するための制御部が、電子機器側に設けられた構成であってもよい。
【００４３】  このような構成によれば、さらに、電子機器側に設けられた制御部と、ディスク装置との接続を一つの端子部を介して行うことができるので、簡易に接続を行うことが可能となる。
【００４４】  さらに、ディスク装置の上側シャーシまたは下側シャーシの面が、電子機器に取り付けられた構成であってもよい。
【００４５】  このような構成によれば、さらに、剛性の高い、耐衝撃性に優れた電子機器を実現することができる。
【００４６】  以上述べたように、本発明のディスク装置およびそれを用いた電子機器によれば、分解時および組み立て時に手間のかかりにくい構成を実現できる。
【図面の簡単な説明】
【００４７】
【図１】図１は、本発明の実施の形態における磁気ディスク装置の主要な構成を示す平面図である。
【図２】図２は、本発明の実施の形態における磁気ディスク装置の中継配線体の構成を示す展開平面図である。
【図３Ａ】図３Ａは、本発明の実施の形態における磁気ディスク装置の中継配線体を組み立てた際の側面図である。
【図３Ｂ】図３Ｂは、本発明の実施の形態における磁気ディスク装置の図３ＡにおけるＲ部の部分を拡大した側面図である。
【図３Ｃ】図３Ｃは、本発明の実施の形態における磁気ディスク装置のＦＰＣポストの断面図である。
【図３Ｄ】図３Ｄは、本発明の実施の形態における磁気ディスク装置のＦＰＣポストの他の例を示す断面図である。
【図４Ａ】図４Ａは、本発明の実施の形態における磁気ディスク装置の押圧弾性部材の構成を示す平面図である。
【図４Ｂ】図４Ｂは、本発明の実施の形態における磁気ディスク装置の押圧弾性部材の側面図である。
【図５Ａ】図５Ａは、本発明の実施の形態における磁気ディスク装置の図１におけるＡ−Ａ線での断面を示した部分断面図である。
【図５Ｂ】図５Ｂは、本発明の実施の形態における磁気ディスク装置の図１におけるＢ−Ｏ１−Ｏ２−Ｏ３−Ｂ線での断面を示した部分断面図である。
【図５Ｃ】図５Ｃは、本発明の実施の形態における磁気ディスク装置のエアーフィルタ近傍の構成を示す図である。
【図６Ａ】図６Ａは、本発明の実施の形態における磁気ディスク装置の図１におけるＣ−Ｏ４−Ｃ線での断面を示した部分断面図である。
【図６Ｂ】図６Ｂは、本発明の実施の形態における磁気ディスク装置のアクチュエータの軸受部近傍の構造を示す図である。
【図７】図７は、本発明の実施の形態における磁気ディスク装置の中継配線体とモータ用配線体との接触部分近傍の部分平面図である。
【図８Ａ】図８Ａは、本発明の実施の形態における磁気ディスク装置を組み立てる工程を説明するための平面図である。
【図８Ｂ】図８Ｂは、本発明の実施の形態における磁気ディスク装置を組み立てる工程を説明するための平面図である。
【図９Ａ】図９Ａは、本発明の実施の形態における磁気ディスク装置を組み立てる工程を説明するための平面図である。
【図９Ｂ】図９Ｂは、本発明の実施の形態における磁気ディスク装置を組み立てる工程を説明するための平面図である。
【図１０】図１０は、本発明の実施の形態における磁気ディスク装置を組み立てる際の組立治具の構成を示す斜視図である。
【図１１Ａ】図１１Ａは、本発明の実施の形態における磁気ディスク装置を組み立てる工程を説明するための平面図である。
【図１１Ｂ】図１１Ｂは、本発明の実施の形態における磁気ディスク装置を組み立てる工程を説明するための平面図である。
【図１２】図１２は、本発明の実施の形態における磁気ディスク装置の押圧弾性部材の他の例を示す部分斜視図である。
【図１３】図１３は、本発明の実施の形態における磁気ディスク装置を搭載した電子機器の構成を示すブロック図である。
【図１４】図１４は、従来の浮上型の信号変換素子を有する磁気ディスク装置において上側シャーシを取り外した状態を示す平面図である。
【図１５Ａ】図１５Ａは、従来の磁気ディスク装置の図１４におけるＰ−Ｐ線での断面を示した部分断面図である。
【図１５Ｂ】図１５Ｂは、従来の磁気ディスク装置の図１４におけるＱ−Ｑ線での断面を示した部分断面図である。
【符号の説明】
【００４８】  １  スピンドルモータ
１ａ  モータ用配線体（第２の配線体）
１ｂ，２１ｂ  導電部
２  回転中心軸
３  磁気記録媒体
４  回動軸
４ａ  貫通ねじ部（締結部）
５  アクチュエータ（ヘッド支持装置）
５ａ  アクチュエータ用配線体
５ｂ  タブ部
５ｃ  信号配線接続部
５ｄ  配線取付け部
５ｅ  切り起し部
６  ランプブロック
６ａ，５１ａ，５１ｂ，５１ｃ  突出部
６ｂ，９ｅ，２１ｄ，２１ｅ  位置決め穴
７  中継配線体（第１の配線体）
７ａ  プリアンプ回路部
８  ボイスコイル
９，１２３  押圧弾性部材
９ａ  平面部
９ｂ  先端部
９ｃ，９ｄ，９ｆ，９ｇ，１０ａ，２１ｃ，３１ａ，３１ｂ，５２ａ  貫通穴
１０  下側シャーシ
１１  磁気ディスク装置
２１  フレキシブル配線基板（ＦＰＣ基板）
２１ａ，１２１  基材部
２２  電気回路部品
２３，５６  コネクタ
２４  ガスケット
２５  接続部
３１  補強板
３２  ＦＰＣポスト
３２ａ，３３ａ，３３ｂ，６１ａ  ねじ部（締結部）
３２ｂ，３２ｃ，６１ｂ，６１ｃ  円筒部
３２ｄ，６１ｅ  段差面
３２ｅ  角部
４１ａ，４１ｂ  幅
５１  スペーサ
５２  上側シャーシ
５３  電気回路主基板
５４，５５，６２，６３，６４，６５  ねじ
５７  穴部
５８  エアーフィルタ
６１  ランプポスト
６１ｄ  フランジ部
７１  ＨＤＡ部
７２，７６  ディスクユニット
７３  制御部
７４，７７  電子機器
７５  電子機器回路部
１０１  組立治具
１０２，１０３，１０４  位置決めポスト
１０５  基板
１０６  凹部
１２１ａ  分岐部
１２２  弾性部
【発明を実施するための最良の形態】
【００４９】  以下、本発明の実施の形態におけるディスク装置について、磁気ディスク装置を例として説明する。【００５０】  （実施の形態）
図１から図１３までの図面を用いて、本発明の実施の形態における磁気ディスク装置について説明する。【００５１】  図１は本発明の実施の形態における磁気ディスク装置１１の主要な構成を示す平面図、図２はその中継配線体７の構成を示す展開平面図、図３Ａはその中継配線体７を組み立てた際の側面図、図３Ｂは本発明の実施の形態における磁気ディスク装置１１の図３ＡにおけるＲ部の部分を拡大した側面図、図３ＣはそのＦＰＣポスト３２の断面図、図３ＤはＦＰＣポストの他の一例を示す断面図、図４Ａはその押圧弾性部材９の構成を示す平面図、図４Ｂはその押圧弾性部材９の側面図、図５Ａは磁気ディスク装置１１の図１におけるＡ−Ａ線での断面を示した部分断面図、図５Ｂは図１におけるＢ−Ｏ１−Ｏ２−Ｏ３−Ｂ線での断面を示した部分断面図、図５Ｃはそのエアーフィルタ５８近傍の構成を示す図、図６Ａは図１におけるＣ−Ｏ４−Ｃ線での断面を示した部分断面図、図６Ｂはそのヘッド支持装置５の軸受部４近傍の構造を示す図、図７は本発明の実施の形態における磁気ディスク装置１１の中継配線体７とモータ用配線体１ａとの接触部分近傍の部分平面図、図８Ａから図１１Ｂまでの各図面はそれぞれディスク装置のディスクドライブ部を組み立てる主要な工程を説明するための図であり、図８Ａは第１の工程を説明するための平面図、図８Ｂは第２の工程を説明するための平面図、図９Ａは第３の工程を説明するための平面図、図９Ｂは第４の工程を説明するための平面図、図１０は組立治具の斜視図、図１１Ａは第５の工程を説明するための平面図、図１１Ｂは第６の工程を説明するための平面図であり、さらに、図１２は押圧弾性部材の他の一例を示す部分斜視図である。【００５２】  なお、図１においては、磁気ディスク装置１１の上側シャーシ５２を取り外した状態を示しており、上側シャーシ５２および上側シャーシ５２に設けられた上側ヨークを省略した状態を図示している。磁気ディスク装置１１の筐体は、上側シャーシ５２（第１の筐体とも記す）および下側シャーシ１０（第２の筐体とも記す）を有する。【００５３】  まず、本発明の実施の形態における磁気ディスク装置１１は、図１に示したように、回転部であるスピンドルモータ１の回転中心軸２に回転自在に軸支された磁気記録媒体３、磁気記録媒体３に情報を記録するため、および、磁気記録媒体３に記録された情報を再生するための信号変換素子であり、ヘッド部である磁気ヘッド（図示せず）をその一端側に有し、回動軸４に回動可能に軸支され、その先端にタブ部５ｂを有するヘッド支持装置（アクチュエータまたはアクチュエータ部と記す）５、アクチュエータ５の待避位置に設けられ、複数の傾斜の斜面と複数の平面とを有するランプブロック（ランプブロック部とも記し、ランプポスト６１と合わせてランプ部とも記す）６、磁気ヘッドからの再生信号を増幅して精度よく取り出すための増幅回路部であるプリアンプ回路部７ａが設けられた中継配線体（第１の配線体または単に配線体とも記す）７、スピンドルモータ１に対して駆動電流を供給するモータ用配線体（第２の配線体）１ａ、アクチュエータ５の一端側に配設された磁気ヘッドとの信号の授受および他端側に配設された磁気ヘッドの位置決めのための回動部であるボイスコイル８との信号授受のための、中継配線体７に一体に形成されたアクチュエータ用配線体５ａ、ならびに、中継配線体７に狭持され、後述する方法で中継配線体７とモータ用配線体１ａとを電気的に接続させる押圧弾性部材９を備えている。【００５４】  また、本発明の実施の形態における磁気ディスク装置１１は、前述した各構成要素が下側シャーシ１０の内部に収納されており、その筐体の外側に別途設けられた電気回路主基板５３（図１には図示せず、図５Ｂ参照）に、各構成要素を制御する制御部が設けられている。なお、前述の例では、中継配線体７にプリアンプ回路部７ａが設けられている例を説明したが、プリアンプ回路部７ａを筐体の外側に別途設けられた電気回路主基板５３に搭載し、中継配線体７は電気信号を通すだけの配線部のみであってもよい。【００５５】  次に、図２を用いて本発明の実施の形態における磁気ディスク装置１１の中継配線体７について説明する。図２に示したように、本発明の実施の形態における中継配線体７は、例えばフレキシブル配線基板（以下、ＦＰＣ部またはＦＰＣ基板と記し、ＦＰＣポスト３２と合わせて回路基板部とも記す）２１のような電気配線部材、そのＦＰＣ基板２１上に配設されたプリアンプ回路部７ａ等の電気回路を構成する電気回路部品２２、外部に配設された電気回路主基板５３（図２には図示せず）と接続するための電気信号伝達手段であり、端子部であるコネクタ２３、および、コネクタ２３の周辺部分を外気から封止するためのガスケット２４を備えている。【００５６】  また、本発明の実施の形態における磁気ディスク装置１１の中継配線体７のＦＰＣ基板２１は絶縁材料からなる基材部２１ａの上に所定のパターンで導電部２１ｂが形成された電気配線部材であり、そのＦＰＣ基板２１の図２における右側には複数に分岐された接続部２５が形成されている。ＦＰＣ基板２１の接続部２５の先端部分は導電性を有し、対応するモータ用配線体１ａの複数の導電部１ｂ（図７を参照）と接触して電気的に接続されるように構成されている。【００５７】  なお、ＦＰＣ基板２１の接続部２５の先端部分は、必ずしも複数に分岐した形状である必要はなく、一体形状に形成され、その先端部分にモータ用配線体１ａの導電部１ｂのそれぞれに対応するように複数の導電部２１ｂを設けた構成であってもよい。【００５８】  さらに、本発明の実施の形態の磁気ディスク装置１１においては、中継配線体７のＦＰＣ基板２１の基材部２１ａ上にアクチュエータ用配線体５ａが形成されている。また、ＦＰＣ基板２１には折りたたんで後述する状態でＦＰＣポスト部であるＦＰＣポスト３２（図３Ａ）を貫通させるための貫通穴２１ｃが設けられている。【００５９】  また、本発明の実施の形態の磁気ディスク装置１１における中継配線体７は、図３Ａおよび図３Ｂに示すように、中継配線体７を図２における破線Ｘ−Ｘ線にて、ＦＰＣ基板２１の基材部２１ａが対向するように略１８０°折り曲げ（山折り）した状態で使用される。また、ＦＰＣ基板２１の導電部２１ｂの形成された面とは反対側の基材部２１ａの面に固着された、例えばＳＵＳ板材等を用いた二枚の補強板３１を介して、図４Ａに示した押圧弾性部���９の平面部９ａをＦＰＣ基板２１にて狭持し、ＦＰＣ基板２１が二重になった状態で使用される。【００６０】  図３Ａおよび図３Ｂに示したように、本発明の実施の形態の磁気ディスク装置１１においては、押圧弾性部材９の平面部９ａの表裏両面に両面接着テープ等を貼付して、ＦＰＣ基板２１に固着された二枚の補強板３１によって押圧弾性部材９を狭持したときに、押圧弾性部材９と二枚の補強板３１とが接着された状態となる。【００６１】  次に、本発明の実施の形態における磁気ディスク装置１１の位置決め部材である押圧弾性部材９について説明する。本発明の実施の形態における磁気ディスク装置１１における押圧弾性部材９は、図４Ａおよび図４Ｂに示されるような形状を有し、リン青鋼等のばね性を有する弾性材料を用いて作製することができる。押圧弾性部材９の一方の端部には、ＦＰＣ基板２１の先端部に設けられた複数の接続部２５のそれぞれに対応するように、分岐された先端部９ｂが複数形成される。なお、図４Ｂは図４Ａの右方向からみた側面図であり、先端部９ｂは図４Ａにおいて紙面に向かう方向に折れ曲がっている。これにより、先端部９ｂは、ＦＰＣ基板２１の接続部２５に対して付勢力を付与することが可能となる。【００６２】  また、押圧弾性部材９には、後述するＦＰＣポスト３２が貫通する貫通穴９ｃおよびランプポスト部であるランプポスト６１が貫通するランプポスト用貫通穴９ｄ、ランプブロック６の位置決め穴９ｅ、後述するスペーサ５１（図５Ａおよび図５Ｂ参照）の二つの位置決め突出部５１ｃが貫通する貫通穴９ｆおよび貫通穴９ｇが形成されている。【００６３】  本発明の実施の形態の磁気ディスク装置１１において、中継配線体７が押圧弾性部材９に対して所定の位置に配設されたとき、押圧弾性部材９の複数の先端部９ｂのそれぞれは、ＦＰＣ基板２１の複数の接続部２５のうち、対応する接続部２５を押して、モータ用配線体１ａの複数の導電部１ｂ（図７を参照）に接触させて、ＦＰＣ基板２１の接続部２５とモータ用配線体１ａの導電部１ｂとを電気的に接続させる。【００６４】  なお、衝撃、特に回転方向の衝撃等の外部からの力に対して押圧弾性部材９の先端部９ｂによる接続部２５への押圧力が弱まることを抑制するために、図４Ａに示したように、押圧弾性部材９の先端部９ｂを、先端部の幅４１ａよりも根元部分の幅４１ｂの方が大きくなるように形成することが望ましい。すなわち、
幅４１ａ＜幅４１ｂ
を満足するように形成することが望ましい。換言すると、本発明の実施の形態における磁気ディスク装置１１の押圧弾性部材９の先端部９ｂは、その断面積を根元の部分から先端の部分にかけて小さくするような形状に形成されている。【００６５】  ここで、本発明の実施の形態における磁気ディスク装置１１におけるＦＰＣ基板２１周辺の構成について説明する。本発明の実施の形態における磁気ディスク装置１１においては、押圧弾性部材９が中継配線体７によって狭持された状態で、図３Ｃに示すような、中心部にねじ部３２ａが形成され、互いに半径の異なる上部円筒部３２ｃと下部円筒部３２ｂとを有する、ＦＰＣポスト３２の下部円筒部３２ｂを、ＦＰＣ基板２１に設けられた貫通穴２１ｃおよび押圧弾性部材９の貫通穴９ｃに貫通させる。【００６６】  そして、ＦＰＣポスト３２の上部円筒部３２ｃと下部円筒部３２ｂとの段差面（段差部とも記す）３２ｄをＦＰＣ基板２１に当接させて、上部円筒部３２ｃと段差面３２ｄとの境界、すなわち角部３２ｅの全周においてＦＰＣ基板２１とＦＰＣポスト３２とをはんだ付け固着する。なお、はんだ付け部分におけるＦＰＣ基板２１にはＧＮＤになるような配線がなされており、磁気ディスク装置１１が組み立てられたときには、ＦＰＣポスト３２を通してＦＰＣ基板２１がグラウンドライン（アースライン）になるように構成されている。なお、ＦＰＣポスト３２は中心部に貫通したねじ部３２ａとする必要はなく、図３Ｄに示すように、両側端部に締結手段としてねじ部３３ａおよびねじ部３３ｂを設けた構成であってもよい。また、この場合、ねじ部３３ａとねじ部３３ｂは必ずしも同軸上に設けなくてもよい。【００６７】  さらに、本発明の実施の形態における磁気ディスク装置１１においては、中継配線体７に一体に形成されたアクチュエータ用配線体５ａの信号配線接続部５ｃを図２に示された破線Ｙ−Ｙ線にて紙面上方向（谷折り方向）に略９０°折り曲げるとともに、破線Ｖ−Ｖ線にて山折り方向に略１８０°折り曲げ、さらに、アクチュエータ用配線体５ａを紙面上方向（谷折り方向）に破線Ｚ−Ｚ線にて略９０°折り曲げる。【００６８】  このようにして、図１に示すように下側シャーシ１０のアクチュエータ５の近傍にアクチュエータ用配線体５ａにおける信号配線接続部５ｃを取り付け、磁気ヘッドおよびボイスコイル８からの信号配線を接続することができる。【００６９】  次に、図５Ａおよび図５Ｂに示すように、押圧弾性部材９を狭持して二重になったＦＰＣ基板２１を貫通するように設けられた四つの位置決め穴２１ｄおよび位置決め穴２１ｅ（図２参照）にスペーサ５１に設けられた二つの位置決め突出部５１ａおよび位置決め突出部５１ｂを嵌合させて位置決めしてスペーサ５１を載置し、ガスケット２４、押圧弾性部材９を狭持したＦＰＣ基板２１およびスペーサ５１を下側シャーシ１０と上側シャーシ５２によって挟み込むことにより位置が固定できる。そして、締結手段であるねじ５４およびねじ５５にてＦＰＣポスト３２と上側シャーシ５２および下側シャーシ１０とをそれぞれ締結する。なお、補強板３１にも、スペーサ５１に設けられた二つの位置決め突出部５１ａおよび位置決め突出部５１ｂに対応した位置に��れぞれ貫通穴３１ａおよび貫通穴３１ｂがそれぞれ設けられている。また、この例では締結手段として、雌ねじと雄ねじの組み合わせを用いて記述したが、何らこれに限ることはなく、雄ねじとナットまたは嵌め込み形式等の公知の技術を用いてもよい。【００７０】  本発明の実施の形態における磁気ディスク装置１１においては、中継配線体７のＦＰＣ基板２１に設けられたコネクタ２３の外側の周辺部には、外気を確実に封止するためのガスケット２４が配設されているが、ガスケット２４としては、気密性を保持するためにゴム材等の弾性部材、例えばシリコンゴム（硬度５５°）を用いることができる。【００７１】  また、図５Ｂに示すように、本発明の実施の形態における磁気ディスク装置１１においては、ＦＰＣ基板２１に対してスペーサ５１の位置を位置決めすることによって、ＦＰＣ基板２１とガスケット２４とが当接する位置の、ＦＰＣ基板２１に対して反対側の対応する位置において、スペーサ５１の一方の端面に設けられた突出部５１ｃの当接面とＦＰＣ基板２１とが当接する。したがって、下側シャーシ１０と上側シャーシ５２によってスペーサ５１、ＦＰＣ基板２１およびコネクタ２３のガスケット２４を挟み込むことによって、ガスケット２４による塵埃侵入防止（パーティクルカット）が可能になるとともに、機器内部の気密性をより確実に保持することができる。【００７２】  そして、磁気ディスク装置１１の下側シャーシ１０の外側に設けられた電気回路主基板５３上のコネクタ５６をＦＰＣ基板２１に設けられたコネクタ２３に挿入することにより、中継配線体７と電気回路主基板５３とを接続することができる。【００７３】  なお、スペーサ５１とＦＰＣ基板２１との当接面は、ガスケット２４とＦＰＣ基板２１との当接面と略同じような中空矩形状であってもよいし、また、ガスケット２４とＦＰＣ基板２１との当接面のＦＰＣ基板２１に対して反対側の対応する位置の複数箇所においてスペーサ５１とＦＰＣ基板２１とが部分的に当接する構成であってもよい。【００７４】  さらに、本発明の実施の形態の磁気ディスク装置１１において、ガスケット２４によりその気密性を保持するためには、コネクタ２３としてメス側コネクタを用いて、その外側にガスケット２４を嵌め込むようにすることが望ましい。【００７５】  さらに、本発明の実施の形態の磁気ディスク装置１１は、ＦＰＣ基板２１上に配設されたプリアンプ回路部７ａ等の回路を構成する電気回路部品２２とスペーサ５１との当接を避けるために、ＦＰＣ基板２１上の電気回路部品２２が配設される部分には空間を有するようにスペーサ５１が形成されている。さらに、上側シャーシ５２と下側シャーシ１０によって構成される筐体の内部と、筐体外部との気圧差が生じないように、例えば、図５Ｃに示すように、上側シャーシ５２の一部に穴部５７を設け、その内面にパーティクルカット（塵埃除去）のためのエアーフィルタ５８を配置した構成も可能である。なお、このエアーフィルタ５８は上側シャーシ５２および下側シャーシ１０の少なくともいずれかに設ければよい。【００７６】  ここで、本発明の実施の形態における磁気ディスク装置１１のランプブロック６周辺の構成について説明する。本発明の���施の形態の磁気ディスク装置１１の押圧弾性部材９には、図６Ａに示すように、中心部にねじ部６１ａが形成されたランプポスト６１の下部円筒部６１ｂを貫通させるランプポスト用貫通穴９ｄおよびランプブロック６の位置決めを行うための位置決め穴９ｅが設けられている（図４Ａを参照）。【００７７】  本発明の実施の形態における磁気ディスク装置１１のランプブロック６には、押圧弾性部材９の位置決め穴９ｅに嵌合するような位置に位置決め突出部６ａが設けられるとともに、ランプポスト６１の上部円筒部６１ｃに嵌合するような位置に位置決め穴６ｂが設けられている。【００７８】  磁気ディスク装置１１の組み立て時には、ランプポスト６１の下部円筒部６１ｂを押圧弾性部材９のランプポスト用貫通穴９ｄに貫通させるようにしてランプポスト６１を押圧弾性部材９上に載置する。【００７９】  その後、ランプポスト６１の上部円筒部６１ｃにランプブロック６の位置決め穴６ｂを嵌合させ、ランプブロック６の位置決め突出部６ａを押圧弾性部材９の位置決め穴９ｅに嵌合させて、ランプポスト６１のフランジ部６１ｄの上部段差面（段差部とも記す）６１ｅの上にランプブロック６を載置して、押圧弾性部材９に対するランプブロック６の位置を決めることができる。【００８０】  さらに、上側シャーシ５２の貫通穴５２ａを通して、ねじ６２によってランプポスト６１の中心部のねじ部６１ａに締め付ける。これにより、ランプブロック６は上側シャーシ５２と、ランプポスト６１のフランジ部６１ｄの上部段差面６１ｅとの間で狭持され、固定される。なお、ランプブロック６とランプポスト６１は、上述のように別個の部材である必要はなく、一つの部材として一体に形成されたものであってもよい。【００８１】  さらに、ランプポスト６１の中心部のねじ部６１ａを貫通ねじ部として、下側シャーシ１０の貫通穴１０ａを介してねじ６３にて下側シャーシ１０とランプポスト６１とを締結する。図６Ａに示したように、ランプポスト６１がその上下端においてそれぞれ上側シャーシ５２と下側シャーシ１０とに固定されることによって、ランプブロック６を所定の位置に位置決めすることができる。これにより、中継配線体７の位置も決まる。なお、ランプポスト６１の中心部に設けられたねじ部６１ａは、図６Ａに示されるように、貫通したねじ部６１ａである必要はなく、上述のＦＰＣポスト３２（図３Ｄ参照）と同様に、その両端部にそれぞれねじ部を形成したものであってもよく、また、同じ軸心上に設けなくてもよい。【００８２】  さらに、本発明の実施の形態における磁気ディスク装置１１においては、図６Ｂに示したように、アクチュエータ５の回動軸４の中心部にもランプポスト６１のねじ部６１ａと同様の貫通ねじ部４ａを設けて、上側シャーシ５２および下側シャーシ１０のそれぞれに設けられた貫通穴を通してねじ６４およびねじ６５により固定することによって、アクチュエータ５を所定の位置に位置決めすることができる。なお、回動軸４の中心部に設けられた貫通ねじ部４ａは、貫通した貫通ねじ部４ａである必要はなく、上述のＦＰＣポスト３２（図３Ｄ参照）と同様に、その両端部にそれぞれねじ部を形成したものであってもよく、また、同じ軸心上に���けなくてもよい。【００８３】  上述のように、本発明の実施の形態における磁気ディスク装置１１においては、上側シャーシ５２と下側シャーシ１０は、ＦＰＣポスト３２、ランプポスト６１および回動軸４を挟んだ形でそれぞれ締結部によって固定されるとともに、他の部分、例えば上側シャーシ５２および下側シャーシ１０の外周周辺近傍部分においても直接的または間接的に固定されているものとする。【００８４】  前述したように、本発明の実施の形態における磁気ディスク装置１１においては、ＦＰＣポスト３２およびランプポスト６１を上側シャーシ５２および下側シャーシ１０に固定することによって、図７に示すような、下側シャーシ１０に取り付けられたスピンドルモータ１に設けられたモータ用配線体１ａに対する中継配線体７のＦＰＣ基板２１の位置関係が決まり、押圧弾性部材９の紙面に向かう方向への付勢力によって中継配線体７の先端に設けられた複数の接続部２５が押圧されて、モータ用配線体１ａ上の複数の導電部１ｂそれぞれに対応して接触することになり、接続部２５と導電部１ｂとの間で電気信号の授受を行うことができる。【００８５】  また、本発明の実施の形態における磁気ディスク装置１１は、図７に示したように、押圧弾性部材９によって押圧された中継配線体７を構成するＦＰＣ基板２１の複数の接続部２５それぞれとモータ用配線体１ａの複数の導電部１ｂそれぞれとが接触する部分の近傍において、モータ用配線体１ａの導電部１ｂに接触するＦＰＣ基板２１の接続部２５の幅Ｗ１は、モータ用配線体１ａの導電部１ｂの幅Ｗ２よりも小さい。さらに、接続部２５の幅Ｗ１は、ＦＰＣ基板２１の接続部２５を押圧する押圧弾性部材９の先端部９ｂの幅Ｗ３よりも少なくとも大きくなるように形成することが、耐衝撃性や安定性の観点より望ましい。すなわち、それぞれの幅Ｗ１、Ｗ２およびＷ３が
Ｗ２＞Ｗ１≧Ｗ３
となるように設定することによって、ＦＰＣ基板２１のそれぞれの接続部２５における導電部２１ｂの幅Ｗ１の中心とモータ用配線体１ａのそれぞれの導電部１ｂの幅Ｗ２の中心と押圧弾性部材９の先端部９ｂの幅Ｗ３の中心とがそれぞれ僅かにずれていたとしても、モータ用配線体１ａのそれぞれの導電部１ｂとそれらに対応したＦＰＣ基板２１のそれぞれの接続部２５とのそれぞれの接触は確実なものとなり、モータ用配線体１ａに対するＦＰＣ基板２１および押圧弾性部材９のそれぞれの僅かな取付け位置ずれが、モータ用配線体１ａとＦＰＣ基板２１との接触における電気信号の授受に支障をもたらす可能性を低くすることができる。【００８６】  また、本発明の実施の形態における磁気ディスク装置１１のモータ用配線体１ａの導電部１ｂとＦＰＣ基板２１の接続部２５とが当接する部分において、少なくとも導電部１ｂと接続部２５とが当接する部分近傍をそれぞれ金メッキすることによって、接触抵抗を略０Ωとすることができる。これにより、外部からの衝撃や振動等によって導電部１ｂと接続部２５との接触圧が変化したとしても、接触を維持する限りにおいて、その接触抵抗は変化することなく、略０Ωを維持することが可能である。【００８７】  上述のように、本発明の実施の形態における磁気ディスク装置１１によれば、ＦＰＣポスト３２、ランプポスト６１およびアクチュエータ５の回動軸４には上側シャーシ５２および下側シャーシ１０のそれぞれに固定することができるようにそれぞれ貫通したねじ部３２ａ、ねじ部６１ａおよび貫通ねじ部４ａが設けられているため、中継配線体７、ランプブロック６およびアクチュエータ５を上側シャーシ５２におけるそれぞれの所定の位置に取り付けることができる。【００８８】  また、本発明の実施の形態における磁気ディスク装置１１によれば、スピンドルモータ１に配設されたモータ用配線体１ａの導電部１ｂそれぞれと、それらに対応した中継配線体７のＦＰＣ基板２１の接続部２５の導電部２１ｂそれぞれとを押圧弾性部材９による押圧によって接触させて電気的接続させることができる。このため、例えばスピンドルモータ１、スピンドルモータ１に配設された磁気記録媒体３、またはその他の下側シャーシ１０に配設された構成部材の故障や損傷等による交換時にも、ＦＰＣポスト３２、ランプポスト６１および回動軸４と下側シャーシ１０をそれぞれ固定しているねじ５５、ねじ６３およびねじ６５を離脱させ、その他の上側シャーシ５２と下側シャーシ１０を固着させるための締結部を外す処理をし、上側シャーシ５２部分と下側シャーシ１０とを離間させれば、ＦＰＣポスト３２、ランプポスト６１および回動軸４とともに、中継配線体７、押圧弾性部材９、ランプブロック６およびアクチュエータ５等の部材が上側シャーシ５２に装着されたままの状態で、スピンドルモータ１およびそれに配設された磁気記録媒体３等が装着された下側シャーシ１０と離間させることが可能となる。【００８９】  また、本発明の実施の形態における磁気ディスク装置１１によれば、モータ用配線体１ａの導電部１ｂそれぞれと、それらに対応したＦＰＣ基板２１の接続部２５の導電部２１ｂそれぞれとを押圧弾性部材９の押圧によって接触させて電気的接続させているので、従来のディスク装置のような、モータ用配線体と中継配線体のＦＰＣ基板とが電気的に接続する部分に対してなされたはんだ付けを取り除くような手間のかかる作業を必要とせず、容易に上側シャーシ５２と下側シャーシ１０とを分離することができる。【００９０】  一方、本発明の実施の形態における磁気ディスク装置１１においては、中継配線体７のＦＰＣ基板２１に設けられたプリアンプ回路部７ａ等の回路を有する電気回路部品２２、アクチュエータ５を構成する部材または上側シャーシ５２に取り付けられたエアーフィルタ５８の修理または交換時には、ＦＰＣポスト３２、ランプポスト６１および回動軸４と上側シャーシ５２とをそれぞれ固定しているねじ５４、ねじ６２およびねじ６４の螺合を解除し、その他の上側シャーシ５２と下側シャーシ１０とを固着するための手段を取り外す処理をし、上側シャーシ５２と下側シャーシ１０とを離合させれば、容易に故障部材の修理または交換を行うことが可能となる。また、修理後に組み立てを行う際においても、モータ用配線体１ａの導電部１ｂそれぞれと、対応したＦＰＣ基板２１の接続部２５におけるそれぞれの導電部２１ｂそれぞれとを押圧弾性部材９の押圧によって接触させて電気的に接続させることができるため、上述の分解時と同様に、上側シャーシ５２を下側シャーシ１０に対して取り付けるだけで、容易に組み立てることができる。【００９１】  次に、本発明の実施の形態における磁気ディスク装置１１の組み立て方法についてその概要を説明する。【００９２】  まず第１の工程として、図８Ａに示すように、補強板３１（図８Ａには図示せず）が基材部２１ａの導電部２１ｂの形成された面とは反対側の面に装着され、プリアンプ回路部７ａ等の電気回路が形成されたＦＰＣ基板２１と一体に形成されたアクチュエータ用配線体５ａを、図２に示された破線Ｙ−Ｙ線にて紙面上方向（谷折り方向）に略９０°折り曲げ、破線Ｚ−Ｚ線にて紙面上方向（谷折り方向）に略９０°折り曲げる。さらに、アクチュエータ用配線体５ａをその基材部側同士がお互いに対向するように（山折り方向）破線Ｖ−Ｖ線にて略１８０°折り曲げ、アクチュエータ５の配線取付け部５ｄの切り起し部５ｅに破線Ｖ−Ｖ線にて略１８０°折り曲げられたアクチュエータ用配線体５ａを挟み込み、配線取付け部５ｄに破線Ｙ−Ｙ線にて略９０°折り曲げられた信号配線接続部５ｃを載置する。そして、アクチュエータ用配線体５ａの信号配線接続部５ｃにおいて、アクチュエータ５の磁気ヘッド（図示せず）およびボイスコイル８からの信号配線をはんだ付け等により電気接続する。【００９３】  次に、図８Ｂに示したように、第２の工程として、アクチュエータ５の信号配線が電気接続されたＦＰＣ基板２１を図２における破線Ｘ−Ｘ線にて、ＦＰＣ基板２１における基材部２１ａが対向するように略１８０°折り曲げ、補強板３１（図８Ｂには図示せず）を介して、押圧弾性部材９をＦＰＣ基板２１にて狭持し、両面接着テープ等の方法により接着することによってＦＰＣ基板２１を二重にした状態にする。【００９４】  そして、図９Ａに示したように、第３の工程として、押圧弾性部材９を狭持して二重になったＦＰＣ基板２１にＦＰＣ��スト３２を貫通させ、ＦＰＣポスト３２の角部３２ｅの全周においてＦＰＣ基板２１とＦＰＣポスト３２とをはんだ付け固着する。【００９５】  さらに、図９Ｂに示したように、第４の工程として、補強板３１を介してＦＰＣ基板２１によって狭持された押圧弾性部材９のランプポスト用貫通穴９ｄにランプポスト６１の下部円筒部６１ｂを貫通させて載置し、ランプポスト６１の上部円筒部６１ｃにランプブロック６の位置決め穴６ｂを嵌合させ、かつ、ランプブロック６の位置決め突出部６ａを押圧弾性部材９の位置決め穴９ｅに嵌合させて、押圧弾性部材９に対するランプブロック６の位置を決め、ランプポスト６１のフランジ部６１ｄの上部段差面６１ｅの上にランプブロック６を載置する。【００９６】  次に、図１０に示すような、基板１０５上に、アクチュエータ５が回動する回動軸４を下側シャーシ１０に固着するための貫通ねじ部４ａのねじ穴に嵌合するアクチュエータ用位置決めポスト１０２、中継配線体７の一方の位置を決めるためにＦＰＣポスト３２のねじ部３２ａのねじ穴に嵌合するＦＰＣ用位置決めポスト１０３、中継配線体７の他方の位置とランプブロック６の位置を決めるためにランプポスト６１のねじ部６１ａのねじ穴に嵌合するランプ用位置決めポスト１０４、および、中継配線体７のコネクタ２３とガスケット２４との当接を避けるための凹部１０６（貫通穴でもよい）が所定の位置に設けられた組立治具１０１を準備し、第５の工程として、図１１Ａに示したように、アクチュエータ５の回動軸４の貫通ねじ部４ａ、中継配線体７にはんだ付け固着されたＦＰＣポスト３２のねじ部３２ａ、および、中継配線体７を構成するＦＰＣ基板２１に補強板３１を介して狭持された押圧弾性部材９に載置され、ランプブロック６を載置したランプポスト６１のねじ部６１ａの、それぞれ下側シャーシ１０に固着する側のねじ穴に、組立治具１０１のアクチュエータ用位置決めポスト１０２、ＦＰＣ用位置決めポスト１０３およびランプ用位置決めポスト１０４をそれぞれ嵌合させて挿入する。さらに、アクチュエータ５の先端部分に設けられたタブ部５ｂをランプブロック６の待避位置である平面上に配置する。【００９７】  図１１Ａに示したように、ＦＰＣポスト３２とランプポスト６１は、ＦＰＣ基板２１によって狭持された押圧弾性部材９における貫通穴９ｃとランプポスト用貫通穴９ｄによって相対的な位置関係が決定されるため、組立治具１０１上で組み立てる際の組み立て作業性が非常に優れた構成となっている。【００９８】  さらに、図１１Ｂに示すように、第６の工程として、中継配線体７の２箇所（計４個）の位置決め穴２１ｄおよび位置決め穴２１ｅに、スペーサ５１に設けられた２箇所の位置決め突出部５１ａおよび位置決め突出部５１ｂを嵌合させて挿入し、中継配線体７の上にスペーサ５１を載置する。これにより、中継配線体７に対するスペーサ５１の位置を決定できる。【００９９】  次に、第７の工程として、中継配線体７の上に載置されたスペーサ５１、中継配線体７にはんだ付け固着されたＦＰＣポスト３２、ランプポスト６１の上部段差面６１ｅに載置されたランプブロック６、および、アクチュエータ用位置決めポスト１０２に配置されたアクチュエ���タ５の回動軸４の上に、上側シャーシ５２を載せ、上側シャーシ５２に設けられたそれぞれの穴部を通して回動軸４、ランプポスト６１およびＦＰＣポスト３２のそれぞれのねじ部（６１ａ，３２ａ）にねじを挿入してねじ止め固着して、上側筐体（第１の筐体）を形成する。なお、実用的には、ＦＰＣポスト３２の締結に対応した上側シャーシ５２の穴部として、長穴等のねじ外径に対して遊びを有する穴部とし、組み立て時には、まず回動軸４およびランプポスト６１を上側シャーシ５２に締結し、次に、ＦＰＣポスト３２を上側シャーシ５２に固定するようにすればよい。【０１００】  さらに、第８の工程として、下側シャーシ１０の所定の位置にスピンドルモータ１が取り付けられ、モータ用配線体１ａが所定の位置に配設された下側筐体（第２の筐体）の上に、上述の第７の工程によって組み立てられた上側筐体を載置して、下側筐体と上側筐体を締結し、ディスクドライブ部を完成する。【０１０１】  さらに、第９の工程として、ディスクドライブ部に電気回路主基板５３を取り付けて、磁気ディスク装置１１を作製することが可能となる。なお、ここで、下側シャーシ１０にスピンドルモータ１およびその他の構成部材とともに電気回路主基板５３を組み込んだ状態を下側筐体としてもよく、このときには第９の工程を省略することができる。【０１０２】  上述のように、本発明の実施の形態における磁気ディスク装置１１においては、アクチュエータ用配線体５ａの端部に設けられた信号配線接続部５ｃをアクチュエータ５の所定の位置に配置し、アクチュエータ５に配設された磁気ヘッドおよびボイスコイル８からのそれぞれの信号配線を信号配線接続部５ｃに接続する工程を、第１の工程とすることによって、磁気ヘッドからヘッドアンプ間の配線が閉回路となるため、静電気等の影響で磁気ヘッドが破壊される等の不具合の発生を防止することができる。【０１０３】  また、本発明の実施の形態の磁気ディスク装置１１においては、上述のような第１の筐体と第２の筐体とを組み立てることによって、押圧弾性部材９の先端部９ｂによって押圧された中継配線体７を構成するＦＰＣ基板２１の接続部２５における導電部２１ｂそれぞれが下側シャーシ１０に配設されたモータ用配線体１ａにおける導電部１ｂそれぞれに当接することになり、ＦＰＣ基板２１の接続部２５における導電部２１ｂそれぞれと、モータ用配線体１ａにおける導電部１ｂそれぞれが電気的に接続される。【０１０４】  なお、上述の磁気ディスク装置１１の組み立て方法の説明において、上側筐体および下側筐体には、ボイスコイルモータを構成するための上側ヨーク、下側ヨークおよび永久磁石等のディスクドライブ部に必要な構成部材が組み込まれている。また、組み立てとは逆に、このようにして組み立てられた磁気ディスク装置１１を分解するときには、下側筐体を上側筐体から取り外すことにより、下側シャーシ１０に取り付けられたスピンドルモータ１のモータ用配線体１ａは、中継配線体７のＦＰＣ基板２１の接続部２５から容易に外れることになり、スピンドルモータ１とアクチュエータ５とを容易に分離することができる。これにより、例えばスピンドルモータ１や磁気記録媒体３を交換等する必要がある場合にも、アクチュエータ５を筐体から取り外す必要がなく、手間をかけずに短時間で作業を行うことができる。【０１０５】  なお、本発明の実施の形態における磁気ディスク装置１１においては、押圧弾性部材９として、ばね性を有する弾性材料を用い、ＦＰＣ基板２１の接続部２５を押圧する先端部９ｂそれぞれが一体に形成されているように記述したが、本発明はこの例に限定されない。例えば、図１２に示すように、ＳＵＳ等の平板材を用いた基材部１２１に設けられた複数の分岐部１２１ａにゴム材またはクッション材等の弾力性を有する弾性部１２２が固着された押圧弾性部材１２３を用いることも可能である。押圧弾性部材１２３をこのような形状としたときにも、それぞれの分岐部１２１ａは上述の先端部９ｂと同様に根元部の断面積より先端部の断面積の方が小さくなるように形成することが望ましい。また、分岐部１２１ａとしては、ＳＵＳ等のいわゆる板ばね部材を用いることもできるし、ゴム等の弾性部材を用いることができる。【０１０６】  なお、本発明の実施の形態においては、磁気ディスク装置１１を例として説明を行ったが、本発明のディスク装置は何らこれに限定されることはなく、例えば、ＤＶＤ装置、光磁気ディスク装置や光ディスク装置等の他の非接触型のディスク装置に適用してもよい。【０１０７】  以上述べたように、本発明の実施の形態における磁気ディスク装置１１によれば、押圧弾性部材９、１２３の押圧力によって、中継配線体７をスピンドルモータ１のモータ用配線体１ａに接触させて、電気回路主基板５３からの電気信号を授受することができるため、中継配線体７とモータ用配線体１ａとの接続部において、はんだ付け等の複雑な作業を必要とせず、上側シャーシ５２と下側シャーシ１０とを組み合わせることによって容易に接続させることができ、組み立て時間を短縮することができる。また、磁気ディスク装置１１におけるディスクドライブ部を構成する部材に何らかの故障が発生したとき、故障した部材の修理交換時においても、その部材の配置された位置に応じて、上側シャーシ５２に磁気ディスク装置１１の構成部材の一部を固着したまま、上側シャーシ５２と下側シャーシ１０とを分離することができるため、容易に修理交換のための分解および組み立ての少なくとも一方ができる。したがって、故障部材の修理交換をする作業が容易になり、修理交換のための作業時間を短縮することができる。【０１０８】  さらに、本発明の実施の形態における磁気ディスク装置１１においては、一つのコネクタ２３により電気回路主基板５３から磁気ディスク装置１１のディスクドライブ部に電気信号を授受するための電気配線を接続することができるので、その接続に必要な部品点数を削減することができ、安価なディスク装置を実現することができる。【０１０９】  さらに、本発明のディスク装置を組み込んで、携帯電話装置、ポータブルオーディオプレーヤ装置、ディスク再生装置またはディスク記録装置等の電子機器を構成すれば、より接続し易い構成を実現することができる。図１３は、本発明の実施の形態におけるディスク装置を組み込んだ電子機器の構成を示すブロック図である。【０１１０】  図１３に示したように、本発明の実施の形態における電子機器７４は、前述した磁気ディスク装置１１の構成から制御部を除いたＨＤＡ（Ｈｅａｄ  Ｄｉｓｋ  ＡｓｓｅｍｂｌｙまたはＨａｒｄ  Ｄｉｓｋ  Ａｓｓｅｍｂｌｙ）部７１が、ディスクユニット７２を構成し、電子機器７４にＨＤＡ部７１を制御するための制御部７３および電子機器回路部７５が設けられる。ディスクユニット７２は電子機器７４に取り付けられる。このような構成においては、ディスクユニット７２のＨＤＡ部７１と電子機器７４の制御部７３とが一つの端子部によって接続されるので、接続を容易に行うことができる。さらに、本発明のディスク装置によれば、従来のディスク装置において複数のコネクタが設けられていた部分（例えば図１における磁気記録媒体３の下部両側の部分）に電子機器７４の制御部７３や電子機器回路部７５を配設することが可能であり、構成の小型化を実現することができる。【０１１１】  さらに、本発明の実施の形態におけるＨＤＡ部７１は、ＦＰＣポスト部およびランプポスト部それぞれが、上側シャーシおよび下側シャーシに締結されているために、剛性の高い、耐衝撃性に優れた電子機器７４を提供することができる。なお、本発明の電子機器は、電子機器７４とディスクユニット７２との取り付け方向を限定するものではないが、ディスクユニット７２の上側シャーシまたは下側シャーシの面を電子機器７４に取り付けることでさらに剛性の高い構成を実現することができる。【０１１２】  なお、図１３の破線で示したように、ディスクユニット７６がＨＤＡ部７１と制御部７３とを有し、電子機器７７が電子機器回路部７５を有する構成とすることも可能である。
【産業上の利用可能性】
【０１１３】  以上述べたように、本発明によれば、分解時および組み立て時に手間のかかりにくい構成を実現できるという効果を奏することができるので、容易に分解および組み立ての少なくともいずれかを行うことが可能なディスク装置およびそれを用いた電子機器等として有用である。
【図１】
2006054649.tif 000002
【図２】
2006054649.tif 000003
【図３Ａ】
2006054649.tif 000004
【図３Ｂ】
2006054649.tif 000005
【図３Ｃ】
2006054649.tif 000006
【図３Ｄ】
2006054649.tif 000007
【図４Ａ】
2006054649.tif 000008
【図４Ｂ】
2006054649.tif 000009
【図５Ａ】
2006054649.tif 000010
【図５Ｂ】
2006054649.tif 000011
【図５Ｃ】
2006054649.tif 000012
【図６Ａ】
2006054649.tif 000013
【図６Ｂ】
2006054649.tif 000014
【図７】
2006054649.tif 000015
【図８Ａ】
2006054649.tif 000016
【図８Ｂ】
2006054649.tif 000017
【図９Ａ】
2006054649.tif 000018
【図９Ｂ】
2006054649.tif 000019
【図１０】
2006054649.tif 000020
【図１１Ａ】
2006054649.tif 000021
【図１１Ｂ】
2006054649.tif 000022
【図１２】
2006054649.tif 000023
【図１３】
2006054649.tif 000024
【図１４】
2006054649.tif 000025
【図１５Ａ】
2006054649.tif 000026
【図１５Ｂ】
2006054649.tif 000027
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
記録媒体と、
前記記録媒体を回転させる回転部と、
前記記録媒体に信号を再生および記録の少なくともいずれかを行うヘッド部と、
前記ヘッド部を支持し、軸受部を回動中心として前記記録媒体の半径方向に回動可能なアクチュエータ部と、
前記アクチュエータ部の前記ヘッド部を待避させる際に前記アクチュエータ部の一部を保持するランプ部と、
少なくとも前記ヘッド部および前記アクチュエータ部との信号の送信および受信の少なくともいずれかを行う回路基板部と、
上側シャーシと、
下側シャーシとを備え、
前記アクチュエータ部の前記軸受部、前記ランプ部および前記回路基板部がそれぞれ前記記録媒体に垂直な方向の両側に締結部を有し、
前記上側シャーシおよび前記下側シャーシから前記締結部を締結することにより、前記アクチュエータ部、前記ランプ部および前記回路基板部が前記上側シャーシおよび前記下側シャーシに組み付けられることを特徴とするディスク装置。
【請求項２】
前記ランプ部は、前記アクチュエータ部の一部を保持するランプブロック部と、前記締結部の設けられたランプポスト部とを有することを特徴とする請求項１に記載のディスク装置。
【請求項３】
前記ランプブロック部と前記ランプポスト部とが一体に形成されていることを特徴とする請求項２に記載のディスク装置。
【請求項４】
前記回路基板部は導電パターンの形成されたＦＰＣ部および前記ＦＰＣ部を貫通するＦＰＣポスト部を有し、
前記ＦＰＣポスト部に前記締結部が設けられていることを特徴とする請求項１に記載のディスク装置。
【請求項５】
前記ランプポスト部と前記ＦＰＣポスト部との相対的な位置関係を決定する位置決め部材を備えたことを特徴とする請求項４に記載のディスク装置。
【請求項６】
前記回路基板部は前記ヘッド部からの出力を増幅する増幅回路部を有することを特徴とする請求項４に記載のディスク装置。
【請求項７】
前記ランプポスト部は、少なくとも二つの互いに半径の異なる円筒部と、前記円筒部の間に少なくとも一つの段差部とを有する形状であり、少なくとも二つの前記円筒部のうち、前記段差部に対して前記上側シャーシ側の円筒部に前記ランプブロック部を嵌合させ、かつ、前記締結部を用いて前記ランプポスト部を前記上側シャーシに締結したとき、前記上側シャーシと前記段差部とによって前記ランプブロック部が狭持されることを特徴とする請求項２に記載のディスク装置。
【請求項８】
前記ＦＰＣポスト部は、少なくとも二つの互いに半径の異なる円筒部と、前記円筒部の間に少なくとも一つの段差部とを有する形状であり、前記ＦＰＣポスト部の前記段差部が前記ＦＰＣ部に固着されたことを特徴とする請求項４に記載のディスク装置。
【請求項９】
前記ＦＰＣポスト部は、前記ＦＰＣ部に形成されたグラウンドラインにはんだ付け固着されたことを特徴とする請求項８に記載のディスク装置。
【請求項１０】
端部に前記回転部との電気信号の受信および送信の少なくともいずれかを行うための導電部を有する配線体を備え、
前記ＦＰＣ部が、前記ヘッド部および前記アクチュエータ部との電気信号の送信および受信の少なくともいずれかを行うための導電部および前記配線体の前記導電部と接触するための接続部を有し、
前記位置決め部材は、前記ＦＰＣ部に狭持されるとともに、前記ＦＰＣ部の前記接続部を前記配線体の前記導電部の方向に押圧するための先端部を有し、
前記位置決め部材の前記先端部による押圧力によって、前記ＦＰＣ部の前記接続部を前記配線体の前記導電部に当接させることにより、前記ＦＰＣ部の前記接続部と前記配線体の前記導電部とが電気的に接続することを特徴とする請求項５に記載のディスク装置。
【請求項１１】
前記上側シャーシには前記アクチュエータ部、前記位置決め部材および前記ＦＰＣ部が取り付けられ、
前記下側シャーシには前記回転部および前記配線体が取り付けられ、
前記上側シャーシと前記下側シャーシとを組み立てることによって、前記位置決め部材の前記先端部の押圧力により前記ＦＰＣ部の前記接続部と前記配線体の前記導電部とが当接して電気的に接続することを特徴とする請求項１０に記載のディスク装置。
【請求項１２】
請求項１に記載のディスク装置を備えたことを特徴とする電子機器。
【請求項１３】
前記ディスク装置を制御するための制御部が、電子機器側に設けられたことを特徴とする請求項１２に記載の電子機器。
【請求項１４】
前記ディスク装置の前記上側シャーシまたは前記下側シャーシの面が、電子機器に取り付けられたことを特徴とする請求項１２に記載の電子機器。
【手続補正２】
【補正対象書類名】明細書
【補正対象項目名】全文
【補正方法】変更
【補正の内容】
【書類名】明細書
【発明の名称】ディスク装置およびそれを用いた電子機器
【技術分野】
【０００１】
本発明は、浮上型の信号変換素子を備えたディスク装置に関し、特に、容易に分解および組み立ての少なくともいずれかを行うことが可能なディスク装置、および、それを用いた電子機器に関する。
【背景技術】
【０００２】
ハードディスク装置等の磁気ディスク装置は、近年の急速な小型大容量化にともなって、携帯電話装置やポータブルオーディオプレーヤ装置等の、持ち運び可能な小型の電子機器にも搭載されるようになってきている。今後、さらなる小型化および低コスト化によって、これらの電子機器への応用が広がるものと期待されている。
【０００３】
このような磁気ディスク装置において、さらなる小型化および低コスト化を実現するためのポイントとして、磁気ヘッド、スピンドルモータおよびアクチュエータと制御部との間で信号の授受を行うための配線構造がある。
【０００４】
まず、従来のディスク装置における配線接続方法を説明する。ここでは、ディスク装置の一例として、ハードディスク装置等の磁気ディスク装置を用いて説明する。
【０００５】
図１４は、従来の浮上型の信号変換素子（以下、単に磁気ヘッドと記す）を有する磁気ディスク装置１３０において上側シャーシを取り外した状態を示す平面図であり、図１５Ａは従来の磁気ディスク装置１３０の図１４におけるＰ−Ｐ線での断面を示した部分断面図であり、図１５Ｂは従来の磁気ディスク装置１３０の図１４におけるＱ−Ｑ線での断面を示した部分断面図である。
【０００６】
図１４、図１５Ａおよび図１５Ｂにおいて、アクチュエータ１３１は、比較的剛性の低いサスペンション１３２、板ばね部１３３および比較的剛性の高い支持アーム１３４を有している。サスペンション１３２の一端側の下面には磁気ヘッド（図示せず）を搭載したヘッドスライダ１３５が設けられている。
【０００７】
また、磁気記録媒体１３６はスピンドルモータ１３７によって回転し、磁気ディスク装置１３０の記録時および再生時には、磁気記録媒体１３６の回転に伴ってヘッドスライダ１３５と磁気記録媒体１３６との間に発生する空気流によってヘッドスライダ１３５が受ける浮揚力と、ヘッドスライダ１３５を磁気記録媒体１３６側へ付勢するアクチュエータ１３１の板ばね部１３３による付勢力（いわゆるロード荷重）とが釣り合って、ヘッドスライダ１３５は磁気記録媒体１３６から一定量浮上し、磁気ヘッドも磁気記録媒体１３６から一定量浮上するように構成されている。
【０００８】
アクチュエータ１３１は、磁気ディスク装置１３０の記録時および再生時には、支持アーム１３４のヘッドスライダ１３５が設けられた側と反対側の端部に設けられたボイスコイル１３８の作用によって、回動軸１３９を中心として回動する。これにより、ヘッドスライダ１３５に搭載された磁気ヘッドが磁気記録媒体１３６における所望のトラックに対して位置決めされて、磁気ディスク装置１３０は記録および再生の少なくともいずれかを行うことが可能である。
【０００９】
そして、磁気ディスク装置１３０の停止時には、アクチュエータ１３１が回動軸１３９を中心にして回動して磁気記録媒体１３６の外側に向かって移動する。磁気記録媒体１３６の外側には、ヘッド保持部１４０が設けられており、サスペンション１３２の先端に形成されたガイド部１３２ａがヘッド保持部１４０に形成されたテーパ部１４０ａ上に乗り上げることにより、サスペンション１３２に支持されたヘッドスライダ１３５および磁気ヘッドと磁気記録媒体１３６との吸着を防ぐことができる。
【００１０】
また、従来の磁気ディスク装置１３０において、スピンドルモータ１３７、アクチュエータ１３１の回動軸１３９およびヘッド保持部１４０は、それぞれ下側シャーシ１４３に取り付けられている。
【００１１】
さらに、従来の磁気ディスク装置１３０においては、後述する電気回路主基板１４６からのスピンドルモータ１３７の回転を制御する電気信号を供給するために、例えばフレキシブル配線基板（ＦＰＣ基板）を用いたモータ用配線体１４１がスピンドルモータ１３７に設けられている。また、電気回路主基板１４６とアクチュエータ１３１の磁気ヘッドとの記録信号または再生信号の授受、および、電気回路主基板１４６と磁気ヘッドを磁気記録媒体１３６上の所定の位置に位置決めするためのボイスコイル１３８との制御信号の授受のために、例えばＦＰＣ基板を用いたアクチュエータ用配線体１４２がアクチュエータ１３１に設けられている。
【００１２】
さらに、防塵等のために、下側シャーシ１４３に、内部の各構成要素を覆って密閉するように上側シャーシ１４４が取り付けられる。
【００１３】
また、従来の磁気ディスク装置１３０には、その下側シャーシ１４３の底面に、例えば図１５Ａまたは図１５Ｂに示したような、磁気ディスク装置１３０を制御するための電気回路部品１４５が搭載された電気回路主基板１４６が取り付けられている。
【００１４】
電気回路主基板１４６にはモータ用コネクタ１４７とアクチュエータ用コネクタ１４８とが設けられ、モータ用コネクタ１４７にはモータ用配線体１４１のコネクタ１４１ａが接続され、アクチュエータ用コネクタ１４８にはアクチュエータ用配線体１４２のコネクタ１４２ａが接続されている。
【００１５】
このように、従来の磁気ディスク装置１３０においては、電気回路主基板１４６からの制御信号がモータ用コネクタ１４７を通じてスピンドルモータ１３７に送られるとともに、アクチュエータ用コネクタ１４８を通じて磁気ヘッドまたはボイスコイル１３８へ送られる構成となっていた（例えば、特開平４−１８１５８７号公報、特開平７−１４３６２号公報、実開平３−７１４９０号公報または特開昭６３−１２７４８２号公報を参照。）。
【００１６】
しかしながら、前述したような従来の磁気ディスク装置においては、アクチュエータの回動軸、ヘッド保持部およびアクチュエータ用配線体は、磁気記録媒体を回転させるためのスピンドルモータ等の構成部とともに下側シャーシに配設され、下側シャーシに対して内部を密閉的に覆うように上側シャーシが取り付けられている。このような構成において、例えば磁気記録媒体またはスピンドルモータに何らかの故障が発生した場合、磁気記録媒体とアクチュエータは磁気記録媒体の回転軸中心方向に重複して配置されているため、磁気記録媒体またはスピンドルモータの交換に際しては、上側シャーシを取り外した後、少なくともアクチュエータを下側シャーシから取り外す必要がある。また、修理が完了した後の組み立て時においても逆の手順で組み立てる必要があり、分解時および組み立て時に長時間を要し、手間がかかってしまうという課題があった。
【発明の開示】
【００１７】
本発明はこのような課題に鑑みてなされたものであり、分解時および組み立て時に手間のかからないディスク装置およびそれを用いた電子機器を提供することを目的とする。
【００１８】
本発明のディスク装置は、記録媒体と、記録媒体を回転させる回転部と、記録媒体に信号を再生および記録の少なくともいずれかを行うヘッド部と、ヘッド部を支持し、軸受部を回動中心として記録媒体の半径方向に回動可能なアクチュエータ部と、アクチュエータ部のヘッド部を待避させる際にアクチュエータ部の一部を保持するランプ部と、少なくともヘッド部およびアクチュエータ部との信号の送信および受信の少なくともいずれかを行う回路基板部と、上側シャーシと、下側シャーシとを備え、アクチュエータ部の軸受部、ランプ部および回路基板部がそれぞれ記録媒体に垂直な方向の両側に締結部を有し、上側シャーシおよび下側シャーシから締結部を締結することにより、アクチュエータ部、ランプ部および回路基板部が上側シャーシおよび下側シャーシに組み付けられることを特徴としている。
【００１９】
このような構成により、アクチュエータ部の軸受部、ランプ部および回路基板部がそれぞれ両端に締結部を有し、この締結部を上側シャーシおよび下側シャーシを介して締結する、または、この締結を解除するという簡易な方法により、装置の組み立てまたは分解を行うことができるので、分解時および組み立て時に手間のかからないディスク装置を提供できる。
【００２０】
また、ランプ部は、アクチュエータ部の一部を保持するランプブロック部と、締結部の設けられたランプポスト部とを有する構成であってもよい。
【００２１】
このような構成によれば、さらに、ランプブロック部とランプポスト部とを分離することにより、それぞれの部材の作製が容易な構成を実現できる。
【００２２】
また、ランプブロック部とランプポスト部とが一体に形成されている構成であってもよい。
【００２３】
このような構成によれば、さらに、ランプブロック部とランプポスト部とを一体に構成できるので、部品点数の削減を図ることができる。
【００２４】
さらに、回路基板部は導電パターンの形成されたＦＰＣ部およびＦＰＣ部を貫通するＦＰＣポスト部を有し、ＦＰＣポスト部に締結部が設けられている構成であってもよい。
【００２５】
このような構成によれば、さらに、ＦＰＣ部とＦＰＣポスト部とを分離することにより、それぞれの部材の作製が容易な構成を実現できる。
【００２６】
また、ランプポスト部とＦＰＣポスト部との相対的な位置関係を決定する位置決め部材を備えた構成であってもよい。
【００２７】
このような構成によれば、さらに、ランプポスト部とＦＰＣポスト部との位置関係が決まるので、さらに組み立てのしやすい構成を実現することができる。
【００２８】
また、回路基板部はヘッド部からの出力を増幅する増幅回路部を有する構成であってもよい。
【００２９】
このような構成によれば、さらに、ヘッド部の近傍で微小な信号を処理することができるので、ノイズの発生を抑制することができ、安定した信号の授受が可能となり、信頼性を向上することができる。
【００３０】
また、ランプポスト部は、少なくとも二つの互いに半径の異なる円筒部と、円筒部の間に少なくとも一つの段差部とを有する形状であり、少なくとも二つの円筒部のうち、段差部に対して上側シャーシ側の円筒部にランプブロック部を嵌合させ、かつ、締結部を用いてランプポスト部を上側シャーシに締結したとき、上側シャーシと段差部とによってランプブロック部が狭持される構成であってもよい。
【００３１】
このような構成によれば、さらに、簡易な構成でランプブロック部の位置を固定することができる。
【００３２】
また、ＦＰＣポスト部は、少なくとも二つの互いに半径の異なる円筒部と、円筒部の間に少なくとも一つの段差部とを有する形状であり、ＦＰＣポスト部の段差部がＦＰＣ部に固着された構成であってもよい。
【００３３】
このような構成によれば、さらに、簡易な構成でＦＰＣ部の位置を固定することができる。
【００３４】
さらに、ＦＰＣポスト部は、ＦＰＣ部に形成されたグラウンドラインにはんだ付け固着された構成であってもよい。
【００３５】
このような構成によれば、さらに、ＦＰＣ部のグラウンドラインをより確実に接地することが可能となる。
【００３６】
また、端部に回転部との電気信号の受信および送信の少なくともいずれかを行うための導電部を有する配線体を備え、ＦＰＣ部が、ヘッド部およびアクチュエータ部との電気信号の送信および受信の少なくともいずれかを行うための導電部および配線体の導電部と接触するための接続部を有し、位置決め部材は、ＦＰＣ部に狭持されるとともに、ＦＰＣ部の接続部を配線体の導電部の方向に押圧するための先端部を有し、位置決め部材の先端部による押圧力によって、ＦＰＣ部の接続部を配線体の導電部に当接させることにより、ＦＰＣ部の接続部と配線体の導電部とが電気的に接続する構成であってもよい。
【００３７】
このような構成によれば、さらに、例えば回路基板部が上側シャーシに固定され、配線体が下側シャーシに固定された状態で上側シャーシおよび下側シャーシを分離することができるので、分解および組み立ての容易な構成を実現することが可能となる。
【００３８】
また、上側シャーシにはアクチュエータ部、位置決め部材およびＦＰＣ部が取り付けられ、下側シャーシには回転部および配線体が取り付けられ、上側シャーシと下側シャーシとを組み立てることによって、位置決め部材の先端部の押圧力によりＦＰＣ部の接続部と配線体の導電部とが当接して電気的に接続する構成であってもよい。
【００３９】
このような構成によれば、さらに、上側シャーシと下側シャーシとを組み立てることにより、ＦＰＣ部と配線体とを電気的に接続することができるので、上側シャーシに、アクチュエータ部、位置決め部材およびＦＰＣ部が固定され、下側シャーシに回転部および配線体が固定された状態で、上側シャーシおよび下側シャーシを分離することができるので、分解および組み立ての容易な構成を実現することができる。
【００４０】
次に、本発明の電子機器は、本発明のディスク装置を備えたことを特徴としている。
【００４１】
このような構成によれば、アクチュエータ部の軸受部、ランプ部および回路基板部がそれぞれ両端に締結部を有し、この締結部を上側シャーシおよび下側シャーシを介して締結する、または、この締結を解除するという簡易な方法により、装置の組み立てまたは分解を行うことができるので、分解時および組み立て時に手間のかからないディスク装置を搭載した電子機器を実現することができる。
【００４２】
また、ディスク装置を制御するための制御部が、電子機器側に設けられた構成であってもよい。
【００４３】
このような構成によれば、さらに、電子機器側に設けられた制御部と、ディスク装置との接続を一つの端子部を介して行うことができるので、簡易に接続を行うことが可能となる。
【００４４】
さらに、ディスク装置の上側シャーシまたは下側シャーシの面が、電子機器に取り付けられた構成であってもよい。
【００４５】
このような構成によれば、さらに、剛性の高い、耐衝撃性に優れた電子機器を実現することができる。
【００４６】
以上述べたように、本発明のディスク装置およびそれを用いた電子機器によれば、分解時および組み立て時に手間のかかりにくい構成を実現できる。
【発明の効果】
【００４７】
以上述べたように、本発明によれば、分解時および組み立て時に手間のかかりにくい構成を実現できるという効果を奏することができるので、容易に分解および組み立ての少なくともいずれかを行うことが可能なディスク装置およびそれを用いた電子機器等として有用である。
【発明を実施するための最良の形態】
【００４８】
以下、本発明の実施の形態におけるディスク装置について、磁気ディスク装置を例として説明する。
【００４９】
（実施の形態）
図１から図１３までの図面を用いて、本発明の実施の形態における磁気ディスク装置について説明する。
【００５０】
図１は本発明の実施の形態における磁気ディスク装置１１の主要な構成を示す平面図、図２はその中継配線体７の構成を示す展開平面図、図３Ａはその中継配線体７を組み立てた際の側面図、図３Ｂは本発明の実施の形態における磁気ディスク装置１１の図３ＡにおけるＲ部の部分を拡大した側面図、図３ＣはそのＦＰＣポスト３２の断面図、図３ＤはＦＰＣポストの他の一例を示す断面図、図４Ａはその押圧弾性部材９の構成を示す平面図、図４Ｂはその押圧弾性部材９の側面図、図５Ａは磁気ディスク装置１１の図１におけるＡ−Ａ線での断面を示した部分断面図、図５Ｂは図１におけるＢ−Ｏ１−Ｏ２−Ｏ３−Ｂ線での断面を示した部分断面図、図５Ｃはそのエアーフィルタ５８近傍の構成を示す図、図６Ａは図１におけるＣ−Ｏ４−Ｃ線での断面を示した部分断面図、図６Ｂはそのヘッド支持装置５の軸受部４近傍の構造を示す図、図７は本発明の実施の形態における磁気ディスク装置１１の中継配線体７とモータ用配線体１ａとの接触部分近傍の部分平面図、図８Ａから図１１Ｂまでの各図面はそれぞれディスク装置のディスクドライブ部を組み立てる主要な工程を説明するための図であり、図８Ａは第１の工程を説明するための平面図、図８Ｂは第２の工程を説明するための平面図、図９Ａは第３の工程を説明するための平面図、図９Ｂは第４の工程を説明するための平面図、図１０は組立治具の斜視図、図１１Ａは第５の工程を説明するための平面図、図１１Ｂは第６の工程を説明するための平面図であり、さらに、図１２は押圧弾性部材の他の一例を示す部分斜視図である。
【００５１】
なお、図１においては、磁気ディスク装置１１の上側シャーシ５２を取り外した状態を示しており、上側シャーシ５２および上側シャーシ５２に設けられた上側ヨークを省略した状態を図示している。磁気ディスク装置１１の筐体は、上側シャーシ５２（第１の筐体とも記す）および下側シャーシ１０（第２の筐体とも記す）を有する。
【００５２】
まず、本発明の実施の形態における磁気ディスク装置１１は、図１に示したように、回転部であるスピンドルモータ１の回転中心軸２に回転自在に軸支された磁気記録媒体３、磁気記録媒体３に情報を記録するため、および、磁気記録媒体３に記録された情報を再生するための信号変換素子であり、ヘッド部である磁気ヘッド（図示せず）をその一端側に有し、回動軸４に回動可能に軸支され、その先端にタブ部５ｂを有するヘッド支持装置（アクチュエータまたはアクチュエータ部と記す）５、アクチュエータ５の待避位置に設けられ、複数の傾斜の斜面と複数の平面とを有するランプブロック（ランプブロック部とも記し、ランプポスト６１と合わせてランプ部とも記す）６、磁気ヘッドからの再生信号を増幅して精度よく取り出すための増幅回路部であるプリアンプ回路部７ａが設けられた中継配線体（第１の配線体または単に配線体とも記す）７、スピンドルモータ１に対して駆動電流を供給するモータ用配線体（第２の配線体）１ａ、アクチュエータ５の一端側に配設された磁気ヘッドとの信号の授受および他端側に配設された磁気ヘッドの位置決めのための回動部であるボイスコイル８との信号授受のための、中継配線体７に一体に形成されたアクチュエータ用配線体５ａ、ならびに、中継配線体７に狭持され、後述する方法で中継配線体７とモータ用配線体１ａとを電気的に接続させる押圧弾性部材９を備えている。
【００５３】
また、本発明の実施の形態における磁気ディスク装置１１は、前述した各構成要素が下側シャーシ１０の内部に収納されており、その筐体の外側に別途設けられた電気回路主基板５３（図１には図示せず、図５Ｂ参照）に、各構成要素を制御する制御部が設けられている。なお、前述の例では、中継配線体７にプリアンプ回路部７ａが設けられている例を説明したが、プリアンプ回路部７ａを筐体の外側に別途設けられた電気回路主基板５３に搭載し、中継配線体７は電気信号を通すだけの配線部のみであってもよい。
【００５４】
次に、図２を用いて本発明の実施の形態における磁気ディスク装置１１の中継配線体７について説明する。図２に示したように、本発明の実施の形態における中継配線体７は、例えばフレキシブル配線基板（以下、ＦＰＣ部またはＦＰＣ基板と記し、ＦＰＣポスト３２と合わせて回路基板部とも記す）２１のような電気配線部材、そのＦＰＣ基板２１上に配設されたプリアンプ回路部７ａ等の電気回路を構成する電気回路部品２２、外部に配設された電気回路主基板５３（図２には図示せず）と接続するための電気信号伝達手段であり、端子部であるコネクタ２３、および、コネクタ２３の周辺部分を外気から封止するためのガスケット２４を備えている。
【００５５】
また、本発明の実施の形態における磁気ディスク装置１１の中継配線体７のＦＰＣ基板２１は絶縁材料からなる基材部２１ａの上に所定のパターンで導電部２１ｂが形成された電気配線部材であり、そのＦＰＣ基板２１の図２における右側には複数に分岐された接続部２５が形成されている。ＦＰＣ基板２１の接続部２５の先端部分は導電性を有し、対応するモータ用配線体１ａの複数の導電部１ｂ（図７を参照）と接触して電気的に接続されるように構成されている。
【００５６】
なお、ＦＰＣ基板２１の接続部２５の先端部分は、必ずしも複数に分岐した形状である必要はなく、一体形状に形成され、その先端部分にモータ用配線体１ａの導電部１ｂのそれぞれに対応するように複数の導電部２１ｂを設けた構成であってもよい。
【００５７】
さらに、本発明の実施の形態の磁気ディスク装置１１においては、中継配線体７のＦＰＣ基板２１の基材部２１ａ上にアクチュエータ用配線体５ａが形成されている。また、ＦＰＣ基板２１には折りたたんで後述する状態でＦＰＣポスト部であるＦＰＣポスト３２（図３Ａ）を貫通させるための貫通穴２１ｃが設けられている。
【００５８】
また、本発明の実施の形態の磁気ディスク装置１１における中継配線体７は、図３Ａおよび図３Ｂに示すように、中継配線体７を図２における破線Ｘ−Ｘ線にて、ＦＰＣ基板２１の基材部２１ａが対向するように略１８０°折り曲げ（山折り）した状態で使用される。また、ＦＰＣ基板２１の導電部２１ｂの形成された面とは反対側の基材部２１ａの面に固着された、例えばＳＵＳ板材等を用いた二枚の補強板３１を介して、図４Ａに示した押圧弾性部材９の平面部９ａをＦＰＣ基板２１にて狭持し、ＦＰＣ基板２１が二重になった状態で使用される。
【００５９】
図３Ａおよび図３Ｂに示したように、本発明の実施の形態の磁気ディスク装置１１においては、押圧弾性部材９の平面部９ａの表裏両面に両面接着テープ等を貼付して、ＦＰＣ基板２１に固着された二枚の補強板３１によって押圧弾性部材９を狭持したときに、押圧弾性部材９と二枚の補強板３１とが接着された状態となる。
【００６０】
次に、本発明の実施の形態における磁気ディスク装置１１の位置決め部材である押圧弾性部材９について説明する。本発明の実施の形態における磁気ディスク装置１１における押圧弾性部材９は、図４Ａおよび図４Ｂに示されるような形状を有し、リン青銅等のばね性を有する弾性材料を用いて作製することができる。押圧弾性部材９の一方の端部には、ＦＰＣ基板２１の先端部に設けられた複数の接続部２５のそれぞれに対応するように、分岐された先端部９ｂが複数形成される。なお、図４Ｂは図４Ａの右方向からみた側面図であり、先端部９ｂは図４Ａにおいて紙面に向かう方向に折れ曲がっている。これにより、先端部９ｂは、ＦＰＣ基板２１の接続部２５に対して付勢力を付与することが可能となる。
【００６１】
また、押圧弾性部材９には、後述するＦＰＣポスト３２が貫通する貫通穴９ｃおよびランプポスト部であるランプポスト６１が貫通するランプポスト用貫通穴９ｄ、ランプブロック６の位置決め穴９ｅ、後述するスペーサ５１（図５Ａおよび図５Ｂ参照）の二つの位置決め突出部５１ｃが貫通する貫通穴９ｆおよび貫通穴９ｇが形成されている。
【００６２】
本発明の実施の形態の磁気ディスク装置１１において、中継配線体７が押圧弾性部材９に対して所定の位置に配設されたとき、押圧弾性部材９の複数の先端部９ｂのそれぞれは、ＦＰＣ基板２１の複数の接続部２５のうち、対応する接続部２５を押して、モータ用配線体１ａの複数の導電部１ｂ（図７を参照）に接触させて、ＦＰＣ基板２１の接続部２５とモータ用配線体１ａの導電部１ｂとを電気的に接続させる。
【００６３】
なお、衝撃、特に回転方向の衝撃等の外部からの力に対して押圧弾性部材９の先端部９ｂによる接続部２５への押圧力が弱まることを抑制するために、図４Ａに示したように、押圧弾性部材９の先端部９ｂを、先端部の幅４１ａよりも根元部分の幅４１ｂの方が大きくなるように形成することが望ましい。すなわち、
幅４１ａ＜幅４１ｂ
を満足するように形成することが望ましい。換言すると、本発明の実施の形態における磁気ディスク装置１１の押圧弾性部材９の先端部９ｂは、その断面積を根元の部分から先端の部分にかけて小さくするような形状に形成されている。
【００６４】
ここで、本発明の実施の形態における磁気ディスク装置１１におけるＦＰＣ基板２１周辺の構成について説明する。本発明の実施の形態における磁気ディスク装置１１においては、押圧弾性部材９が中継配線体７によって狭持された状態で、図３Ｃに示すような、中心部にねじ部３２ａが形成され、互いに半径の異なる上部円筒部３２ｃと下部円筒部３２ｂとを有する、ＦＰＣポスト３２の下部円筒部３２ｂを、ＦＰＣ基板２１に設けられた貫通穴２１ｃおよび押圧弾性部材９の貫通穴９ｃに貫通させる。
【００６５】
そして、ＦＰＣポスト３２の上部円筒部３２ｃと下部円筒部３２ｂとの段差面（段差部とも記す）３２ｄをＦＰＣ基板２１に当接させて、上部円筒部３２ｃと段差面３２ｄとの境界、すなわち角部３２ｅの全周においてＦＰＣ基板２１とＦＰＣポスト３２とをはんだ付け固着する。なお、はんだ付け部分におけるＦＰＣ基板２１にはＧＮＤになるような配線がなされており、磁気ディスク装置１１が組み立てられたときには、ＦＰＣポスト３２を通してＦＰＣ基板２１がグラウンドライン（アースライン）になるように構成されている。なお、ＦＰＣポスト３２は中心部に貫通したねじ部３２ａとする必要はなく、図３Ｄに示すように、両側端部に締結手段としてねじ部３３ａおよびねじ部３３ｂを設けた構成であってもよい。また、この場合、ねじ部３３ａとねじ部３３ｂは必ずしも同軸上に設けなくてもよい。
【００６６】
さらに、本発明の実施の形態における磁気ディスク装置１１においては、中継配線体７に一体に形成されたアクチュエータ用配線体５ａの信号配線接続部５ｃを図２に示された破線Ｙ−Ｙ線にて紙面上方向（谷折り方向）に略９０°折り曲げるとともに、破線Ｖ−Ｖ線にて山折り方向に略１８０°折り曲げ、さらに、アクチュエータ用配線体５ａを紙面上方向（谷折り方向）に破線Ｚ−Ｚ線にて略９０°折り曲げる。
【００６７】
このようにして、図１に示すように下側シャーシ１０のアクチュエータ５の近傍にアクチュエータ用配線体５ａにおける信号配線接続部５ｃを取り付け、磁気ヘッドおよびボイスコイル８からの信号配線を接続することができる。
【００６８】
次に、図５Ａおよび図５Ｂに示すように、押圧弾性部材９を狭持して二重になったＦＰＣ基板２１を貫通するように設けられた四つの位置決め穴２１ｄおよび位置決め穴２１ｅ（図２参照）にスペーサ５１に設けられた二つの位置決め突出部５１ａおよび位置決め突出部５１ｂを嵌合させて位置決めしてスペーサ５１を載置し、ガスケット２４、押圧弾性部材９を狭持したＦＰＣ基板２１およびスペーサ５１を下側シャーシ１０と上側シャーシ５２によって挟み込むことにより位置が固定できる。そして、締結手段であるねじ５４およびねじ５５にてＦＰＣポスト３２と上側シャーシ５２および下側シャーシ１０とをそれぞれ締結する。なお、補強板３１にも、スペーサ５１に設けられた二つの位置決め突出部５１ａおよび位置決め突出部５１ｂに対応した位置にそれぞれ貫通穴３１ａおよび貫通穴３１ｂがそれぞれ設けられている。また、この例では締結手段として、雌ねじと雄ねじの組み合わせを用いて記述したが、何らこれに限ることはなく、雄ねじとナットまたは嵌め込み形式等の公知の技術を用いてもよい。
【００６９】
本発明の実施の形態における磁気ディスク装置１１においては、中継配線体７のＦＰＣ基板２１に設けられたコネクタ２３の外側の周辺部には、外気を確実に封止するためのガスケット２４が配設されているが、ガスケット２４としては、気密性を保持するためにゴム材等の弾性部材、例えばシリコンゴム（硬度５５°）を用いることができる。
【００７０】
また、図５Ｂに示すように、本発明の実施の形態における磁気ディスク装置１１においては、ＦＰＣ基板２１に対してスペーサ５１の位置を位置決めすることによって、ＦＰＣ基板２１とガスケット２４とが当接する位置の、ＦＰＣ基板２１に対して反対側の対応する位置において、スペーサ５１の一方の端面に設けられた突出部５１ｃの当接面とＦＰＣ基板２１とが当接する。したがって、下側シャーシ１０と上側シャーシ５２によってスペーサ５１、ＦＰＣ基板２１およびコネクタ２３のガスケット２４を挟み込むことによって、ガスケット２４による塵埃侵入防止（パーティクルカット）が可能になるとともに、機器内部の気密性をより確実に保持することができる。
【００７１】
そして、磁気ディスク装置１１の下側シャーシ１０の外側に設けられた電気回路主基板５３上のコネクタ５６をＦＰＣ基板２１に設けられたコネクタ２３に挿入することにより、中継配線体７と電気回路主基板５３とを接続することができる。
【００７２】
なお、スペーサ５１とＦＰＣ基板２１との当接面は、ガスケット２４とＦＰＣ基板２１との当接面と略同じような中空矩形状であってもよいし、また、ガスケット２４とＦＰＣ基板２１との当接面のＦＰＣ基板２１に対して反対側の対応する位置の複数箇所においてスペーサ５１とＦＰＣ基板２１とが部分的に当接する構成であってもよい。
【００７３】
さらに、本発明の実施の形態の磁気ディスク装置１１において、ガスケット２４によりその気密性を保持するためには、コネクタ２３としてメス側コネクタを用いて、その外側にガスケット２４を嵌め込むようにすることが望ましい。
【００７４】
さらに、本発明の実施の形態の磁気ディスク装置１１は、ＦＰＣ基板２１上に配設されたプリアンプ回路部７ａ等の回路を構成する電気回路部品２２とスペーサ５１との当接を避けるために、ＦＰＣ基板２１上の電気回路部品２２が配設される部分には空間を有するようにスペーサ５１が形成されている。さらに、上側シャーシ５２と下側シャーシ１０によって構成される筐体の内部と、筐体外部との気圧差が生じないように、例えば、図５Ｃに示すように、上側シャーシ５２の一部に穴部５７を設け、その内面にパーティクルカット（塵埃除去）のためのエアーフィルタ５８を配置した構成も可能である。なお、このエアーフィルタ５８は上側シャーシ５２および下側シャーシ１０の少なくともいずれかに設ければよい。
【００７５】
ここで、本発明の実施の形態における磁気ディスク装置１１のランプブロック６周辺の構成について説明する。本発明の実施の形態の磁気ディスク装置１１の押圧弾性部材９には、図６Ａに示すように、中心部にねじ部６１ａが形成されたランプポスト６１の下部円筒部６１ｂを貫通させるランプポスト用貫通穴９ｄおよびランプブロック６の位置決めを行うための位置決め穴９ｅが設けられている（図４Ａを参照）。
【００７６】
本発明の実施の形態における磁気ディスク装置１１のランプブロック６には、押圧弾性部材９の位置決め穴９ｅに嵌合するような位置に位置決め突出部６ａが設けられるとともに、ランプポスト６１の上部円筒部６１ｃに嵌合するような位置に位置決め穴６ｂが設けられている。
【００７７】
磁気ディスク装置１１の組み立て時には、ランプポスト６１の下部円筒部６１ｂを押圧弾性部材９のランプポスト用貫通穴９ｄに貫通させるようにしてランプポスト６１を押圧弾性部材９上に載置する。
【００７８】
その後、ランプポスト６１の上部円筒部６１ｃにランプブロック６の位置決め穴６ｂを嵌合させ、ランプブロック６の位置決め突出部６ａを押圧弾性部材９の位置決め穴９ｅに嵌合させて、ランプポスト６１のフランジ部６１ｄの上部段差面（段差部とも記す）６１ｅの上にランプブロック６を載置して、押圧弾性部材９に対するランプブロック６の位置を決めることができる。
【００７９】
さらに、上側シャーシ５２の貫通穴５２ａを通して、ねじ６２によってランプポスト６１の中心部のねじ部６１ａに締め付ける。これにより、ランプブロック６は上側シャーシ５２と、ランプポスト６１のフランジ部６１ｄの上部段差面６１ｅとの間で狭持され、固定される。なお、ランプブロック６とランプポスト６１は、上述のように別個の部材である必要はなく、一つの部材として一体に形成されたものであってもよい。
【００８０】
さらに、ランプポスト６１の中心部のねじ部６１ａを貫通ねじ部として、下側シャーシ１０の貫通穴１０ａを介してねじ６３にて下側シャーシ１０とランプポスト６１とを締結する。図６Ａに示したように、ランプポスト６１がその上下端においてそれぞれ上側シャーシ５２と下側シャーシ１０とに固定されることによって、ランプブロック６を所定の位置に位置決めすることができる。これにより、中継配線体７の位置も決まる。なお、ランプポスト６１の中心部に設けられたねじ部６１ａは、図６Ａに示されるように、貫通したねじ部６１ａである必要はなく、上述のＦＰＣポスト３２（図３Ｄ参照）と同様に、その両端部にそれぞれねじ部を形成したものであってもよく、また、同じ軸心上に設けなくてもよい。
【００８１】
さらに、本発明の実施の形態における磁気ディスク装置１１においては、図６Ｂに示したように、アクチュエータ５の回動軸４の中心部にもランプポスト６１のねじ部６１ａと同様の貫通ねじ部４ａを設けて、上側シャーシ５２および下側シャーシ１０のそれぞれに設けられた貫通穴を通してねじ６４およびねじ６５により固定することによって、アクチュエータ５を所定の位置に位置決めすることができる。なお、回動軸４の中心部に設けられた貫通ねじ部４ａは、貫通した貫通ねじ部４ａである必要はなく、上述のＦＰＣポスト３２（図３Ｄ参照）と同様に、その両端部にそれぞれねじ部を形成したものであってもよく、また、同じ軸心上に設けなくてもよい。
【００８２】
上述のように、本発明の実施の形態における磁気ディスク装置１１においては、上側シャーシ５２と下側シャーシ１０は、ＦＰＣポスト３２、ランプポスト６１および回動軸４を挟んだ形でそれぞれ締結部によって固定されるとともに、他の部分、例えば上側シャーシ５２および下側シャーシ１０の外周周辺近傍部分においても直接的または間接的に固定されているものとする。
【００８３】
前述したように、本発明の実施の形態における磁気ディスク装置１１においては、ＦＰＣポスト３２およびランプポスト６１を上側シャーシ５２および下側シャーシ１０に固定することによって、図７に示すような、下側シャーシ１０に取り付けられたスピンドルモータ１に設けられたモータ用配線体１ａに対する中継配線体７のＦＰＣ基板２１の位置関係が決まり、押圧弾性部材９の紙面に向かう方向への付勢力によって中継配線体７の先端に設けられた複数の接続部２５が押圧されて、モータ用配線体１ａ上の複数の導電部１ｂそれぞれに対応して接触することになり、接続部２５と導電部１ｂとの間で電気信号の授受を行うことができる。
【００８４】
また、本発明の実施の形態における磁気ディスク装置１１は、図７に示したように、押圧弾性部材９によって押圧された中継配線体７を構成するＦＰＣ基板２１の複数の接続部２５それぞれとモータ用配線体１ａの複数の導電部１ｂそれぞれとが接触する部分の近傍において、モータ用配線体１ａの導電部１ｂに接触するＦＰＣ基板２１の接続部２５の幅Ｗ１は、モータ用配線体１ａの導電部１ｂの幅Ｗ２よりも小さい。さらに、接続部２５の幅Ｗ１は、ＦＰＣ基板２１の接続部２５を押圧する押圧弾性部材９の先端部９ｂの幅Ｗ３よりも少なくとも大きくなるように形成することが、耐衝撃性や安定性の観点より望ましい。すなわち、それぞれの幅Ｗ１、Ｗ２およびＷ３が
Ｗ２＞Ｗ１≧Ｗ３
となるように設定することによって、ＦＰＣ基板２１のそれぞれの接続部２５における導電部２１ｂの幅Ｗ１の中心とモータ用配線体１ａのそれぞれの導電部１ｂの幅Ｗ２の中心と押圧弾性部材９の先端部９ｂの幅Ｗ３の中心とがそれぞれ僅かにずれていたとしても、モータ用配線体１ａのそれぞれの導電部１ｂとそれらに対応したＦＰＣ基板２１のそれぞれの接続部２５とのそれぞれの接触は確実なものとなり、モータ用配線体１ａに対するＦＰＣ基板２１および押圧弾性部材９のそれぞれの僅かな取付け位置ずれが、モータ用配線体１ａとＦＰＣ基板２１との接触における電気信号の授受に支障をもたらす可能性を低くすることができる。
【００８５】
また、本発明の実施の形態における磁気ディスク装置１１のモータ用配線体１ａの導電部１ｂとＦＰＣ基板２１の接続部２５とが当接する部分において、少なくとも導電部１ｂと接続部２５とが当接する部分近傍をそれぞれ金メッキすることによって、接触抵抗を略０Ωとすることができる。これにより、外部からの衝撃や振動等によって導電部１ｂと接続部２５との接触圧が変化したとしても、接触を維持する限りにおいて、その接触抵抗は変化することなく、略０Ωを維持することが可能である。
【００８６】
上述のように、本発明の実施の形態における磁気ディスク装置１１によれば、ＦＰＣポスト３２、ランプポスト６１およびアクチュエータ５の回動軸４には上側シャーシ５２および下側シャーシ１０のそれぞれに固定することができるようにそれぞれ貫通したねじ部３２ａ、ねじ部６１ａおよび貫通ねじ部４ａが設けられているため、中継配線体７、ランプブロック６およびアクチュエータ５を上側シャーシ５２におけるそれぞれの所定の位置に取り付けることができる。
【００８７】
また、本発明の実施の形態における磁気ディスク装置１１によれば、スピンドルモータ１に配設されたモータ用配線体１ａの導電部１ｂそれぞれと、それらに対応した中継配線体７のＦＰＣ基板２１の接続部２５の導電部２１ｂそれぞれとを押圧弾性部材９による押圧によって接触させて電気的接続させることができる。このため、例えばスピンドルモータ１、スピンドルモータ１に配設された磁気記録媒体３、またはその他の下側シャーシ１０に配設された構成部材の故障や損傷等による交換時にも、ＦＰＣポスト３２、ランプポスト６１および回動軸４と下側シャーシ１０をそれぞれ固定しているねじ５５、ねじ６３およびねじ６５を離脱させ、その他の上側シャーシ５２と下側シャーシ１０を固着させるための締結部を外す処理をし、上側シャーシ５２部分と下側シャーシ１０とを離間させれば、ＦＰＣポスト３２、ランプポスト６１および回動軸４とともに、中継配線体７、押圧弾性部材９、ランプブロック６およびアクチュエータ５等の部材が上側シャーシ５２に装着されたままの状態で、スピンドルモータ１およびそれに配設された磁気記録媒体３等が装着された下側シャーシ１０と離間させることが可能となる。
【００８８】
また、本発明の実施の形態における磁気ディスク装置１１によれば、モータ用配線体１ａの導電部１ｂそれぞれと、それらに対応したＦＰＣ基板２１の接続部２５の導電部２１ｂそれぞれとを押圧弾性部材９の押圧によって接触させて電気的接続させているので、従来のディスク装置のような、モータ用配線体と中継配線体のＦＰＣ基板とが電気的に接続する部分に対してなされたはんだ付けを取り除くような手間のかかる作業を必要とせず、容易に上側シャーシ５２と下側シャーシ１０とを分離することができる。
【００８９】
一方、本発明の実施の形態における磁気ディスク装置１１においては、中継配線体７のＦＰＣ基板２１に設けられたプリアンプ回路部７ａ等の回路を有する電気回路部品２２、アクチュエータ５を構成する部材または上側シャーシ５２に取り付けられたエアーフィルタ５８の修理または交換時には、ＦＰＣポスト３２、ランプポスト６１および回動軸４と上側シャーシ５２とをそれぞれ固定しているねじ５４、ねじ６２およびねじ６４の螺合を解除し、その他の上側シャーシ５２と下側シャーシ１０とを固着するための手段を取り外す処理をし、上側シャーシ５２と下側シャーシ１０とを離合させれば、容易に故障部材の修理または交換を行うことが可能となる。また、修理後に組み立てを行う際においても、モータ用配線体１ａの導電部１ｂそれぞれと、対応したＦＰＣ基板２１の接続部２５におけるそれぞれの導電部２１ｂそれぞれとを押圧弾性部材９の押圧によって接触させて電気的に接続させることができるため、上述の分解時と同様に、上側シャーシ５２を下側シャーシ１０に対して取り付けるだけで、容易に組み立てることができる。
【００９０】
次に、本発明の実施の形態における磁気ディスク装置１１の組み立て方法についてその概要を説明する。
【００９１】
まず第１の工程として、図８Ａに示すように、補強板３１（図８Ａには図示せず）が基材部２１ａの導電部２１ｂの形成された面とは反対側の面に装着され、プリアンプ回路部７ａ等の電気回路が形成されたＦＰＣ基板２１と一体に形成されたアクチュエータ用配線体５ａを、図２に示された破線Ｙ−Ｙ線にて紙面上方向（谷折り方向）に略９０°折り曲げ、破線Ｚ−Ｚ線にて紙面上方向（谷折り方向）に略９０°折り曲げる。さらに、アクチュエータ用配線体５ａをその基材部側同士がお互いに対向するように（山折り方向）破線Ｖ−Ｖ線にて略１８０°折り曲げ、アクチュエータ５の配線取付け部５ｄの切り起し部５ｅに破線Ｖ−Ｖ線にて略１８０°折り曲げられたアクチュエータ用配線体５ａを挟み込み、配線取付け部５ｄに破線Ｙ−Ｙ線にて略９０°折り曲げられた信号配線接続部５ｃを載置する。そして、アクチュエータ用配線体５ａの信号配線接続部５ｃにおいて、アクチュエータ５の磁気ヘッド（図示せず）およびボイスコイル８からの信号配線をはんだ付け等により電気接続する。
【００９２】
次に、図８Ｂに示したように、第２の工程として、アクチュエータ５の信号配線が電気接続されたＦＰＣ基板２１を図２における破線Ｘ−Ｘ線にて、ＦＰＣ基板２１における基材部２１ａが対向するように略１８０°折り曲げ、補強板３１（図８Ｂには図示せず）を介して、押圧弾性部材９をＦＰＣ基板２１にて狭持し、両面接着テープ等の方法により接着することによってＦＰＣ基板２１を二重にした状態にする。
【００９３】
そして、図９Ａに示したように、第３の工程として、押圧弾性部材９を狭持して二重になったＦＰＣ基板２１にＦＰＣポスト３２を貫通させ、ＦＰＣポスト３２の角部３２ｅの全周においてＦＰＣ基板２１とＦＰＣポスト３２とをはんだ付け固着する。
【００９４】
さらに、図９Ｂに示したように、第４の工程として、補強板３１を介してＦＰＣ基板２１によって狭持された押圧弾性部材９のランプポスト用貫通穴９ｄにランプポスト６１の下部円筒部６１ｂを貫通させて載置し、ランプポスト６１の上部円筒部６１ｃにランプブロック６の位置決め穴６ｂを嵌合させ、かつ、ランプブロック６の位置決め突出部６ａを押圧弾性部材９の位置決め穴９ｅに嵌合させて、押圧弾性部材９に対するランプブロック６の位置を決め、ランプポスト６１のフランジ部６１ｄの上部段差面６１ｅの上にランプブロック６を載置する。
【００９５】
次に、図１０に示すような、基板１０５上に、アクチュエータ５が回動する回動軸４を下側シャーシ１０に固着するための貫通ねじ部４ａのねじ穴に嵌合するアクチュエータ用位置決めポスト１０２、中継配線体７の一方の位置を決めるためにＦＰＣポスト３２のねじ部３２ａのねじ穴に嵌合するＦＰＣ用位置決めポスト１０３、中継配線体７の他方の位置とランプブロック６の位置を決めるためにランプポスト６１のねじ部６１ａのねじ穴に嵌合するランプ用位置決めポスト１０４、および、中継配線体７のコネクタ２３とガスケット２４との当接を避けるための凹部１０６（貫通穴でもよい）が所定の位置に設けられた組立治具１０１を準備し、第５の工程として、図１１Ａに示したように、アクチュエータ５の回動軸４の貫通ねじ部４ａ、中継配線体７にはんだ付け固着されたＦＰＣポスト３２のねじ部３２ａ、および、中継配線体７を構成するＦＰＣ基板２１に補強板３１を介して狭持された押圧弾性部材９に載置され、ランプブロック６を載置したランプポスト６１のねじ部６１ａの、それぞれ下側シャーシ１０に固着する側のねじ穴に、組立治具１０１のアクチュエータ用位置決めポスト１０２、ＦＰＣ用位置決めポスト１０３およびランプ用位置決めポスト１０４をそれぞれ嵌合させて挿入する。さらに、アクチュエータ５の先端部分に設けられたタブ部５ｂをランプブロック６の待避位置である平面上に配置する。
【００９６】
図１１Ａに示したように、ＦＰＣポスト３２とランプポスト６１は、ＦＰＣ基板２１によって狭持された押圧弾性部材９における貫通穴９ｃとランプポスト用貫通穴９ｄによって相対的な位置関係が決定されるため、組立治具１０１上で組み立てる際の組み立て作業性が非常に優れた構成となっている。
【００９７】
さらに、図１１Ｂに示すように、第６の工程として、中継配線体７の２箇所（計４個）の位置決め穴２１ｄおよび位置決め穴２１ｅに、スペーサ５１に設けられた２箇所の位置決め突出部５１ａおよび位置決め突出部５１ｂを嵌合させて挿入し、中継配線体７の上にスペーサ５１を載置する。これにより、中継配線体７に対するスペーサ５１の位置を決定できる。
【００９８】
次に、第７の工程として、中継配線体７の上に載置されたスペーサ５１、中継配線体７にはんだ付け固着されたＦＰＣポスト３２、ランプポスト６１の上部段差面６１ｅに載置されたランプブロック６、および、アクチュエータ用位置決めポスト１０２に配置されたアクチュエータ５の回動軸４の上に、上側シャーシ５２を載せ、上側シャーシ５２に設けられたそれぞれの穴部を通して回動軸４、ランプポスト６１およびＦＰＣポスト３２のそれぞれのねじ部（６１ａ，３２ａ）にねじを挿入してねじ止め固着して、上側筐体（第１の筐体）を形成する。なお、実用的には、ＦＰＣポスト３２の締結に対応した上側シャーシ５２の穴部として、長穴等のねじ外径に対して遊びを有する穴部とし、組み立て時には、まず回動軸４およびランプポスト６１を上側シャーシ５２に締結し、次に、ＦＰＣポスト３２を上側シャーシ５２に固定するようにすればよい。
【００９９】
さらに、第８の工程として、下側シャーシ１０の所定の位置にスピンドルモータ１が取り付けられ、モータ用配線体１ａが所定の位置に配設された下側筐体（第２の筐体）の上に、上述の第７の工程によって組み立てられた上側筐体を載置して、下側筐体と上側筐体を締結し、ディスクドライブ部を完成する。
【０１００】
さらに、第９の工程として、ディスクドライブ部に電気回路主基板５３を取り付けて、磁気ディスク装置１１を作製することが可能となる。なお、ここで、下側シャーシ１０にスピンドルモータ１およびその他の構成部材とともに電気回路主基板５３を組み込んだ状態を下側筐体としてもよく、このときには第９の工程を省略することができる。
【０１０１】
上述のように、本発明の実施の形態における磁気ディスク装置１１においては、アクチュエータ用配線体５ａの端部に設けられた信号配線接続部５ｃをアクチュエータ５の所定の位置に配置し、アクチュエータ５に配設された磁気ヘッドおよびボイスコイル８からのそれぞれの信号配線を信号配線接続部５ｃに接続する工程を、第１の工程とすることによって、磁気ヘッドからヘッドアンプ間の配線が閉回路となるため、静電気等の影響で磁気ヘッドが破壊される等の不具合の発生を防止することができる。
【０１０２】
また、本発明の実施の形態の磁気ディスク装置１１においては、上述のような第１の筐体と第２の筐体とを組み立てることによって、押圧弾性部材９の先端部９ｂによって押圧された中継配線体７を構成するＦＰＣ基板２１の接続部２５における導電部２１ｂそれぞれが下側シャーシ１０に配設されたモータ用配線体１ａにおける導電部１ｂそれぞれに当接することになり、ＦＰＣ基板２１の接続部２５における導電部２１ｂそれぞれと、モータ用配線体１ａにおける導電部１ｂそれぞれが電気的に接続される。
【０１０３】
なお、上述の磁気ディスク装置１１の組み立て方法の説明において、上側筐体および下側筐体には、ボイスコイルモータを構成するための上側ヨーク、下側ヨークおよび永久磁石等のディスクドライブ部に必要な構成部材が組み込まれている。また、組み立てとは逆に、このようにして組み立てられた磁気ディスク装置１１を分解するときには、下側筐体を上側筐体から取り外すことにより、下側シャーシ１０に取り付けられたスピンドルモータ１のモータ用配線体１ａは、中継配線体７のＦＰＣ基板２１の接続部２５から容易に外れることになり、スピンドルモータ１とアクチュエータ５とを容易に分離することができる。これにより、例えばスピンドルモータ１や磁気記録媒体３を交換等する必要がある場合にも、アクチュエータ５を筐体から取り外す必要がなく、手間をかけずに短時間で作業を行うことができる。
【０１０４】
なお、本発明の実施の形態における磁気ディスク装置１１においては、押圧弾性部材９として、ばね性を有する弾性材料を用い、ＦＰＣ基板２１の接続部２５を押圧する先端部９ｂそれぞれが一体に形成されているように記述したが、本発明はこの例に限定されない。例えば、図１２に示すように、ＳＵＳ等の平板材を用いた基材部１２１に設けられた複数の分岐部１２１ａにゴム材またはクッション材等の弾力性を有する弾性部１２２が固着された押圧弾性部材１２３を用いることも可能である。押圧弾性部材１２３をこのような形状としたときにも、それぞれの分岐部１２１ａは上述の先端部９ｂと同様に根元部の断面積より先端部の断面積の方が小さくなるように形成することが望ましい。また、分岐部１２１ａとしては、ＳＵＳ等のいわゆる板ばね部材を用いることもできるし、ゴム等の弾性部材を用いることができる。
【０１０５】
なお、本発明の実施の形態においては、磁気ディスク装置１１を例として説明を行ったが、本発明のディスク装置は何らこれに限定されることはなく、例えば、ＤＶＤ装置、光磁気ディスク装置や光ディスク装置等の他の非接触型のディスク装置に適用してもよい。
【０１０６】
以上述べたように、本発明の実施の形態における磁気ディスク装置１１によれば、押圧弾性部材９、１２３の押圧力によって、中継配線体７をスピンドルモータ１のモータ用配線体１ａに接触させて、電気回路主基板５３からの電気信号を授受することができるため、中継配線体７とモータ用配線体１ａとの接続部において、はんだ付け等の複雑な作業を必要とせず、上側シャーシ５２と下側シャーシ１０とを組み合わせることによって容易に接続させることができ、組み立て時間を短縮することができる。また、磁気ディスク装置１１におけるディスクドライブ部を構成する部材に何らかの故障が発生したとき、故障した部材の修理交換時においても、その部材の配置された位置に応じて、上側シャーシ５２に磁気ディスク装置１１の構成部材の一部を固着したまま、上側シャーシ５２と下側シャーシ１０とを分離することができるため、容易に修理交換のための分解および組み立ての少なくとも一方ができる。したがって、故障部材の修理交換をする作業が容易になり、修理交換のための作業時間を短縮することができる。
【０１０７】
さらに、本発明の実施の形態における磁気ディスク装置１１においては、一つのコネクタ２３により電気回路主基板５３から磁気ディスク装置１１のディスクドライブ部に電気信号を授受するための電気配線を接続することができるので、その接続に必要な部品点数を削減することができ、安価なディスク装置を実現することができる。
【０１０８】
さらに、本発明のディスク装置を組み込んで、携帯電話装置、ポータブルオーディオプレーヤ装置、ディスク再生装置またはディスク記録装置等の電子機器を構成すれば、より接続し易い構成を実現することができる。図１３は、本発明の実施の形態におけるディスク装置を組み込んだ電子機器の構成を示すブロック図である。
【０１０９】
図１３に示したように、本発明の実施の形態における電子機器７４は、前述した磁気ディスク装置１１の構成から制御部を除いたＨＤＡ（Ｈｅａｄ  Ｄｉｓｋ  ＡｓｓｅｍｂｌｙまたはＨａｒｄ  Ｄｉｓｋ  Ａｓｓｅｍｂｌｙ）部７１が、ディスクユニット７２を構成し、電子機器７４にＨＤＡ部７１を制御するための制御部７３および電子機器回路部７５が設けられる。ディスクユニット７２は電子機器７４に取り付けられる。このような構成においては、ディスクユニット７２のＨＤＡ部７１と電子機器７４の制御部７３とが一つの端子部によって接続されるので、接続を容易に行うことができる。さらに、本発明のディスク装置によれば、従来のディスク装置において複数のコネクタが設けられていた部分（例えば図１における磁気記録媒体３の下部両側の部分）に電子機器７４の制御部７３や電子機器回路部７５を配設することが可能であり、構成の小型化を実現することができる。
【０１１０】
さらに、本発明の実施の形態におけるＨＤＡ部７１は、ＦＰＣポスト部およびランプポスト部それぞれが、上側シャーシおよび下側シャーシに締結されているために、剛性の高い、耐衝撃性に優れた電子機器７４を提供することができる。なお、本発明の電子機器は、電子機器７４とディスクユニット７２との取り付け方向を限定するものではないが、ディスクユニット７２の上側シャーシまたは下側シャーシの面を電子機器７４に取り付けることでさらに剛性の高い構成を実現することができる。
【０１１１】
なお、図１３の破線で示したように、ディスクユニット７６がＨＤＡ部７１と制御部７３とを有し、電子機器７７が電子機器回路部７５を有する構成とすることも可能である。
【産業上の利用可能性】
【０１１２】
以上述べたように、本発明によれば、分解時および組み立て時に手間のかかりにくい構成を実現できるという効果を奏することができるので、容易に分解および組み立ての少なくともいずれかを行うことが可能なディスク装置およびそれを用いた電子機器等として有用である。
【図面の簡単な説明】
【０１１３】
【図１】本発明の実施の形態における磁気ディスク装置の主要な構成を示す平面図
【図２】本発明の実施の形態における磁気ディスク装置の中継配線体の構成を示す展開平面図
【図３Ａ】本発明の実施の形態における磁気ディスク装置の中継配線体を組み立てた際の側面図
【図３Ｂ】本発明の実施の形態における磁気ディスク装置の図３ＡにおけるＲ部の部分を拡大した側面図
【図３Ｃ】本発明の実施の形態における磁気ディスク装置のＦＰＣポストの断面図
【図３Ｄ】本発明の実施の形態における磁気ディスク装置のＦＰＣポストの他の例を示す断面図
【図４Ａ】本発明の実施の形態における磁気ディスク装置の押圧弾性部材の構成を示す平面図
【図４Ｂ】本発明の実施の形態における磁気ディスク装置の押圧弾性部材の側面図
【図５Ａ】本発明の実施の形態における磁気ディスク装置の図１におけるＡ−Ａ線での断面を示した部分断面図
【図５Ｂ】本発明の実施の形態における磁気ディスク装置の図１におけるＢ−Ｏ１−Ｏ２−Ｏ３−Ｂ線での断面を示した部分断面図
【図５Ｃ】本発明の実施の形態における磁気ディスク装置のエアーフィルタ近傍の構成を示す図
【図６Ａ】本発明の実施の形態における磁気ディスク装置の図１におけるＣ−Ｏ４−Ｃ線での断面を示した部分断面図
【図６Ｂ】本発明の実施の形態における磁気ディスク装置のアクチュエータの軸受部近傍の構造を示す図
【図７】本発明の実施の形態における磁気ディスク装置の中継配線体とモータ用配線体との接触部分近傍の部分平面図
【図８Ａ】本発明の実施の形態における磁気ディスク装置を組み立てる工程を説明するための平面図
【図８Ｂ】本発明の実施の形態における磁気ディスク装置を組み立てる工程を説明するための平面図
【図９Ａ】本発明の実施の形態における磁気ディスク装置を組み立てる工程を説明するための平面図
【図９Ｂ】本発明の実施の形態における磁気ディスク装置を組み立てる工程を説明するための平面図
【図１０】本発明の実施の形態における磁気ディスク装置を組み立てる際の組立治具の構成を示す斜視図
【図１１Ａ】本発明の実施の形態における磁気ディスク装置を組み立てる工程を説明するための平面図
【図１１Ｂ】本発明の実施の形態における磁気ディスク装置を組み立てる工程を説明するための平面図
【図１２】本発明の実施の形態における磁気ディスク装置の押圧弾性部材の他の例を示す部分斜視図
【図１３】本発明の実施の形態における磁気ディスク装置を搭載した電子機器の構成を示すブロック図
【図１４】従来の浮上型の信号変換素子を有する磁気ディスク装置において上側シャーシを取り外した状態を示す平面図
【図１５Ａ】従来の磁気ディスク装置の図１４におけるＰ−Ｐ線での断面を示した部分断面図
【図１５Ｂ】従来の磁気ディスク装置の図１４におけるＱ−Ｑ線での断面を示した部分断面図
【符号の説明】
【０１１４】
１    スピンドルモータ
１ａ    モータ用配線体（第２の配線体）
１ｂ，２１ｂ    導電部
２    回転中心軸
３    磁気記録媒体
４    回動軸
４ａ    貫通ねじ部（締結部）
５    アクチュエータ（ヘッド支持装置）
５ａ    アクチュエータ用配線体
５ｂ    タブ部
５ｃ    信号配線接続部
５ｄ    配線取付け部
５ｅ    切り起し部
６    ランプブロック
６ａ，５１ａ，５１ｂ，５１ｃ    突出部
６ｂ，９ｅ，２１ｄ，２１ｅ    位置決め穴
７    中継配線体（第１の配線体）
７ａ    プリアンプ回路部
８    ボイスコイル
９，１２３    押圧弾性部材
９ａ    平面部
９ｂ    先端部
９ｃ，９ｄ，９ｆ，９ｇ，１０ａ，２１ｃ，３１ａ，３１ｂ，５２ａ    貫通穴
１０    下側シャーシ
１１    磁気ディスク装置
２１    フレキシブル配線基板（ＦＰＣ基板）
２１ａ，１２１    基材部
２２    電気回路部品
２３，５６    コネクタ
２４    ガスケット
２５    接続部
３１    補強板
３２    ＦＰＣポスト
３２ａ，３３ａ，３３ｂ，６１ａ    ねじ部（締結部）
３２ｂ，３２ｃ，６１ｂ，６１ｃ    円筒部
３２ｄ，６１ｅ    段差面
３２ｅ    角部
４１ａ，４１ｂ    幅
５１    スペーサ
５２    上側シャーシ
５３    電気回路主基板
５４，５５，６２，６３，６４，６５    ねじ
５７    穴部
５８    エアーフィルタ
６１    ランプポスト
６１ｄ    フランジ部
７１    ＨＤＡ部
７２，７６    ディスクユニット
７３    制御部
７４，７７    電子機器
７５    電子機器回路部
１０１    組立治具
１０２，１０３，１０４    位置決めポスト
１０５    基板
１０６    凹部
１２１ａ    分岐部
１２２    弾性部
【手続補正３】
【補正対象書類名】図面
【補正対象項目名】全図
【補正方法】変更
【補正の内容】
【図１】
2006054649.tif 000028
【図２】
2006054649.tif 000029
【図３Ａ】
2006054649.tif 000030
【図３Ｂ】
2006054649.tif 000031
【図３Ｃ】
2006054649.tif 000032
【図３Ｄ】
2006054649.tif 000033
【図４Ａ】
2006054649.tif 000034
【図４Ｂ】
2006054649.tif 000035
【図５Ａ】
2006054649.tif 000036
【図５Ｂ】
2006054649.tif 000037
【図５Ｃ】
2006054649.tif 000038
【図６Ａ】
2006054649.tif 000039
【図６Ｂ】
2006054649.tif 000040
【図７】
2006054649.tif 000041
【図８Ａ】
2006054649.tif 000042
【図８Ｂ】
2006054649.tif 000043
【図９Ａ】
2006054649.tif 000044
【図９Ｂ】
2006054649.tif 000045
【図１０】
2006054649.tif 000046
【図１１Ａ】
2006054649.tif 000047
【図１１Ｂ】
2006054649.tif 000048
【図１２】
2006054649.tif 000049
【図１３】
2006054649.tif 000050
【図１４】
2006054649.tif 000051
【図１５Ａ】
2006054649.tif 000052
【図１５Ｂ】
2006054649.tif 000053
【国際調査報告】
2006054649.tif 000054
2006054649.tif 000055